(57)【要約】【課題】インク増粘用の反応液とインクによる画像からの液体分の吸収に多孔質体を繰り返し用いた場合においても、多孔質体の状態の変化を判断し、多孔質体の状態に応じて適切な処理を行うことが可能なインクジェット記録方法及び装置を提供すること。【解決手段】画像に液吸収部材の多孔質体を繰り返し当接させて、画像からの液吸収処理を行う場合に、多孔質体の画像への当接回数と当接圧を含む当接情報と多孔質体に関する固有パラメータから多孔質体の通気性の状態を判断する通気性チェック工程を行い、多孔質体の通気性の状態の判断に応じて適切な多孔質体の処理を行う。【選択図】図１
2019014101.tif 000002
【特許請求の範囲】
【請求項１】
被吐出媒体に、インク増粘用の反応液と、水性液媒体と色材を含むインクとを付与して、水性液体成分と該色材を含むインク像を形成するインク像形成工程と、
液吸収部材の有する多孔質体の液吸収用の面を前記インク像に当接させて、前記インク像から前記水性液体成分の少なくとも一部を該多孔質体により吸収する液吸収処理を液吸収処理領域において行う液吸収工程と、
前記液吸収処理領域から搬出された多孔質体を前記液吸収領域に再送する搬送工程と、
を有するインクジェット記録方法であって、
前記搬送工程により前記液体吸工程に繰り返し再送される前記多孔質体の液吸収用の面の前記インク像への当接回数と各当接において該多孔質体の液吸収用の面に付与される当接圧を含む当接情報を当接情報記憶部に格納する当接情報格納工程と、
前記当接情報と前記多孔質体に関する固有パラメータから前記多孔質体の通気性の状態を判断する通気性チェック工程
を有することを特徴とするインクジェット記録方法。
【請求項２】
前記通気性チェック工程によって判断された前記多孔質体の通気性の状態に応じて前記多孔質体に関する処理を行う多孔質体処理工程を有する請求項１に記載のインクジェット記録方法。
【請求項３】
前記多孔質体に関する固有パラメータは、あらかじめ前記多孔質体に繰り返し当接圧を付与して評価した通気性ｚに対し、当接回数をｘ、当接圧をｙとして、ｘ、ｙを変数としたときの多項式によるフィッティング係数である請求項１または２に記載のインクジェット記録方法。
【請求項４】
前記被吐出媒体上にテストパターンを形成し、前記液体吸収工程を経たテストパターンの画質を画質検出装置によって検出し、得られた検出結果により前記多孔質体の状態を判断する多孔質体チェック工程
を有する請求項１乃至３のいずれか１項に記載のインクジェット記録方法。
【請求項５】
前記画像検出装置による検出結果に基づき、前記通気性の状態の判断を補正する請求項４に記載のインクジェット記録方法。
【請求項６】
前記多孔質体は交換式であり、前記交換用の多孔質体ごとに前記多孔質体の固有のパラメータ情報が添付されており、当接情報記憶部に格納された多孔質体に固有のパラメータ情報を前記多孔質体の交換ごとに更新する請求項１乃至５のいずれか１項に記載のインクジェット記録方法。
【請求項７】
前記多孔質体に関する処理は、該多孔質体の交換タイミングを報知する報知処理である請求項２乃至６のいずれか１項に記載のインクジェット記録方法。
【請求項８】
前記多孔質体に関する処理は、画像形成動作を停止する処理である請求項２乃至７のいずれか１項に記載のインクジェット記録方法。
【請求項９】
前記被吐出媒体は、インク像を一時的に保持する転写体であり、該転写体から最終画像を形成するための記録媒体にインク像が転写される、
ことを特徴とする請求項１乃至８のいずれか１項に記載のインクジェット記録方法。
【請求項１０】
前記被吐出媒体は、最終画像を形成するための記録媒体である、
ことを特徴とする請求項１ないし８のいずれか１項に記載のインクジェット記録方法。
【請求項１１】
被吐出媒体に、インク増粘用の反応液と、水性液媒体と色材を含むインクとを付与して、水性液体成分と該色材を含むインク像を形成するインク像形成ユニットと、
前記インク像に当接される液吸収用の面を介して該インク像から前記水性液体成分の少なくとも一部を吸収する多孔質体を有する液吸収部材を液吸収処理領域に備える液吸収装置と、
前記液吸収処理領域から搬出された多孔質体を前記液吸収領域に再送する搬送装置と、
前記インク像形成ユニット、液吸収装置及び搬送装置の動作を制御する装置動作制御部と
を有するインクジェット記録装置であって、
前記搬送装置により前記液吸収処理領域に繰り返し再送される前記多孔質体の液吸収用の面の前記インク像への当接回数と各当接において該多孔質体の液吸収用の面に付与される当接圧を含む当接情報を格納する当接情報記憶部と、
前記当接情報と前記多孔質体に関する固有パラメータから前記多孔質体の通気性の状態を判断する通気性状態判断部
を有することを特徴とするインクジェット記録装置。
【請求項１２】
前記通気性状態判断部によって判断された前記多孔質体の通気性の状態に応じて前記多孔質体に関する処理を選択して指示する多孔質体処理制御部を有する請求項１１に記載のインクジェット記録装置。
【請求項１３】
前記多孔質体に関する固有パラメータは、あらかじめ前記多孔質体に繰り返し当接圧を付与して評価した通気性ｚに対し、当接回数をｘ、当接圧をｙとして、ｘ、ｙを変数としたときの多項式によるフィッティング係数である請求項１１または１２に記載のインクジェット記録装置。
【請求項１４】
前記液吸収装置での液吸収処理を経たインク像の画質を検出する画質検出装置と、前記装置動作制御部に画質チェック用のテストパターンの形成と、前記液吸収装置での液吸収処理を経たテストパターンの画質の前記画質検出装置での検出を指示し、該画質検出装置において得られた検出結果により前記多孔質体の状態を判断する多孔質体状態判断部を有する請求項１１乃至１３のいずれか１項に記載のインクジェット記録装置。
【請求項１５】
前記通気性判断部が、前記多孔質状態判断部における多孔質体の状態の判断により、前記通気性の状態の判断を補正する補正機能を有する請求項１４に記載のインクジェット記録装置。
【請求項１６】
前記多孔質体は交換式であり、前記交換用の多孔質体ごとに前記多孔質体の固有のパラメータ情報が添付されており、当接情報記憶部に格納された多孔質体に固有のパラメータ情報を前記多孔質体の交換ごとに更新するための該パラメータの入力部を有する請求項１１乃至１５のいずれか１項に記載のインクジェット記録装置。
【請求項１７】
前記多孔質体に関する処理は、該多孔質体の交換タイミングを報知する報知処理である請求項１２乃至１６のいずれか１項に記載のインクジェット記録装置。
【請求項１８】
前記多孔質体に関する処理は、インク像形成動作を停止する処理である請求項１２乃至１７のいずれか１項に記載のインクジェット記録装置。
【請求項１９】
前記被吐出媒体は、前記インク像を一時的に保持する転写体であり、前記液吸収装置での液吸収処理を経たインク像を、最終画像を形成するために記録媒体に転写する転写ユニットを有する請求項１１乃至１８のいずれか１項に記載のインクジェット記録装置。
【請求項２０】
前記被吐出媒体は、最終画像を形成するための記録媒体である請求項１１乃至１８のいずれか１項に記載のインクジェット記録装置。
【請求項２１】
転写体と、
前記転写体に、インク増粘用の反応液と、水性液媒体と色材を含むインクとを付与して、水性液体成分と該色材を含むインク像を形成するインク像形成ユニットと、
前記インク像に当接される液吸収用の面を介して該インク像から前記水性液体成分の少なくとも一部を吸収し、インク像を形成するインクを濃縮するための多孔質体を有する液吸収部材を液吸収処理領域に備える液吸収装置と、
前記液吸収処理領域から搬出された多孔質体を前記液吸収領域に再送する搬送装置と、
前記インク像形成ユニット、液吸収装置及び搬送装置の動作を制御する装置動作制御部と、前記液吸収装置による水性液体成分の吸収処理が行われたインク像を前記転写体から記録媒体に転写する転写部と、
を有するインクジェット記録装置であって、
前記搬送装置により前記液吸収処理領域に繰り返し再送される前記多孔質体の液吸収用の面の前記インク像への当接回数と各当接において該多孔質体の液吸収用の面に付与される当接圧を含む当接情報を格納する当接情報記憶部と、
前記当接情報と前記多孔質体に関する固有パラメータから前記多孔質体の通気性の状態を判断する通気性状態判断部
を有することを特徴とするインクジェット記録装置。
【発明の詳細な説明】
【技術分野】
【０００１】
本発明は、画像から液体成分を吸収する液吸収処理を用いるインクジェット記録方法及びインクジェット記録装置に関する。
【背景技術】
【０００２】
インクジェット記録方式では、色材を含む液体組成物（インク）を紙等の記録媒体上に直接または間接的に付与することで画像を形成している。この時、記録媒体がインク中の液体成分を過剰に吸収することによるカールや、コックリングが生じることがある。
そこで、インク中の液体成分を速やかに除去するため、記録媒体を温風や赤外線等の手段を用いて乾燥する方法や、転写体上で画像を形成し、その後転写体上の画像に含まれる液体成分を熱エネルギー等により乾燥した後、紙等の記録媒体に画像を転写する方法がある。
さらに、転写体上の画像に含まれる液体成分を除去する手段として、熱エネルギーを用いずに、ローラ状の多孔質体をインク画像と接触させてインク画像から液体成分を吸収して除去する方法が提案されている（特許文献１）。
【先行技術文献】
【特許文献】
【０００３】
【特許文献１】特開２００９−４５８５１号公報
【発明の概要】
【発明が解決しようとする課題】
【０００４】
液体成分除去前のインクにより形成されたインク画像には比較的多くの液体分が含まれるため柔らかく、外力によって変形しやすい。また、液体除去時にはインク画像中の液体分が減少して硬くなり、外力による変形が起こりにくくなる。
特許文献１に開示されるようにインク画像からの液体除去を行う際に、繰り返して液吸収部材の有する多孔質体を使用していると、液体除去時の当接圧により多孔質体が徐々に圧縮、変形し、液体の吸収特性が劣化する場合がある。インク画像から良好に液体分を除去するためには、インク画像の変形を抑えつつ多孔質体によって液体を吸収することが重要である。多孔質体の液体吸収特性が劣化すると多孔質体へ流れ込む液体分の流抵抗が増加し、液吸収部材による押圧によってインク画像中の液体分がインク画像後端側に押し流される現象（以下、「画像流れ」と称する）が生じることが分かった。
本発明はこのような背景技術を鑑みてなされたものである。本発明の目的は、インク増粘用の反応液とインクによる画像からの液体分の吸収に多孔質体を繰り返し用いた場合においても、多孔質体の状態の変化を判断し、多孔質体の状態に応じて適切な処理を行うことが可能なインクジェット記録方法及び装置を提供することにある。
【課題を解決するための手段】
【０００５】
本発明にかかるインクジェット記録方法は、
被吐出媒体に、インク増粘用の反応液と、水性液媒体と色材を含むインクとを付与して、水性液体成分と該色材を含むインク像を形成するインク像形成工程と、
液吸収部材の有する多孔質体の液吸収用の面を前記インク像に当接させて、前記インク像から前記水性液体成分の少なくとも一部を該多孔質体により吸収する液吸収処理を液吸収処理領域において行う液吸収工程と、
前記液吸収処理領域から搬出された多孔質体を前記液吸収領域に再送する搬送工程と、
を有するインクジェット記録方法であって、
前記搬送工程により前記液体吸工程に繰り返し再送される前記多孔質体の液吸収用の面の前記インク像への当接回数と各当接において該多孔質体の液吸収用の面に付与される当接圧を含む当接情報を当接情報記憶部に格納する当接情報格納工程と、
前記当接情報と前記多孔質体に関する固有パラメータから前記多孔質体の通気性の状態を判断する通気性チェック工程
を有することを特徴とする。
本発明にかかるインクジェット記録装置は、
被吐出媒体に、インク増粘用の反応液と、水性液媒体と色材を含むインクとを付与して、水性液体成分と該色材を含むインク像を形成するインク像形成ユニットと、
前記インク像に当接される液吸収用の面を介して該インク像から前記水性液体成分の少なくとも一部を吸収する多孔質体を有する液吸収部材を液吸収処理領域に備える液吸収装置と、
前記液吸収処理領域から搬出された多孔質体を前記液吸収領域に再送する搬送装置と、
前記インク像形成ユニット、液吸収装置及び搬送装置の動作を制御する装置動作制御部と
を有するインクジェット記録装置であって、
前記搬送装置により前記液吸収処理領域に繰り返し再送される前記多孔質体の液吸収用の面の前記インク像への当接回数と各当接において該多孔質体の液吸収用の面に付与される当接圧を含む当接情報を格納する当接情報記憶部と、
前記当接情報と前記多孔質体に関する固有パラメータから前記多孔質体の通気性の状態を判断する通気性状態判断部
を有することを特徴とする。
【発明の効果】
【０００６】
本発明によれば、インク増粘用の反応液とインクによる画像からの液体分の吸収に多孔質体を繰り返し用いた場合においても、多孔質体の状態の変化を判断し、多孔質体の状態に応じて適切な処理を行うことが可能なインクジェット記録方法及び装置を提供することができる。
【図面の簡単な説明】
【０００７】
【図１】本発明の一実施形態における転写型インクジェット記録装置の構成の一例を示す模式図である。
【図２】本発明の一実施形態における直接描画型インクジェット記録装置の構成の一例を示す模式図である。
【図３】図１、２に示すインクジェット記録装置における、装置全体の制御システムを示すブロック図である。
【図４】図１に示す転写型インクジェット記録装置におけるプリンタ制御部のブロック図である。
【図５】図２に示す直接描画型インクジェット記録装置におけるプリンタ制御部のブロック図である。
【図６】多孔質体に当接圧を与えた場合の、当接回数とガーレー値の関係図である。
【図７】画像流れに関する、インク付与量と多孔質体の通気性との関係図である。
【図８】画像流れの模式図である。
【図９】多孔質体に当接圧を与えた場合の、当接回数とガーレー値の関係図である。
【図１０】実施例１における多孔質体の回転回数とガーレー値の関係図である。
【図１１】本発明の一実施形態におけるインクジェット記録装置が実行する処理のフローチャートである。
【発明を実施するための形態】
【０００８】
本発明にかかるインクジェット記録方法は、以下の工程を有する。
（１）被吐出媒体（被記録体）に、インク増粘用の反応液と、水性液媒体と色材を含むインクとを付与して、水性液体成分と該色材を含む画像を形成する画像形成工程。
（２）液吸収部材の有する多孔質体の液吸収用の面を画像に当接させて、画像から水性液体成分の少なくとも一部を該多孔質体により吸収する液吸収処理を液吸収処理領域において行う液吸収工程。
（３）液吸収処理領域から搬出された多孔質体を液吸収領域に再送する搬送工程。
（４）搬送工程により液体吸工程に繰り返し再送される多孔質体の液吸収用の面の画像への当接回数と各当接において多孔質体の液吸収用の面に付与される当接圧を含む当接情報を当接情報記憶部に格納する当接情報格納工程。
（５）当接情報と多孔質体に関する固有パラメータから多孔質体の通気性の状態を判断する通気性チェック工程。
本発明にかかるインクジェット記録装置は、以下の各装置及び各部を有する。
（Ａ）被吐出媒体に、インク増粘用の反応液と、水性液媒体と色材を含むインクとを付与して、水性液体成分と該色材を含む画像を形成するインク像形成ユニット。
（Ｂ）画像に当接される液吸収用の面を介して画像から水性液体成分の少なくとも一部を吸収する多孔質体を有する液吸収部材を液吸収処理領域に備える液吸収装置。
（Ｃ）液吸収処理領域から搬出された多孔質体を液吸収領域に再送する搬送装置。
（Ｄ）インク像形成ユニット、液吸収装置及び搬送装置の動作を制御する装置動作制御部。
（Ｅ）搬送装置により液吸収処理領域に繰り返し再送される多孔質体の液吸収用の面の画像への当接回数と各当接において多孔質体の液吸収用の面に付与される当接圧を含む当接情報を格納する当接情報記憶部。
（Ｆ）当接情報と多孔質体に関する固有パラメータから多孔質体の通気性の状態を判断する通気性状態判断部。
なお、インクの被吐出媒体への付与は、インクジェット法により行われる。
本発明によれば、多孔質体の通気性に関する状態を、当接情報格納部に格納した画像への当接回数と当接圧を含む当接情報から判断して適切な多孔質体に関する処理を行うことができ、信頼性の高いインクジェット記録方法及び記録装置を提供することができる。画像からの液体分の吸収除去に多孔質体を繰り返し使用すると、液吸収機能が低下して画像流れが発生する場合がある。本発明においては、多孔質体の通気性に関する状態を判断し、画像流れの発生のタイミングを予測して、多孔質体に関する処理を適切なタイミングで行うことも可能となる。
【０００９】
本発明にかかるインクジェット記録装置において、インク像形成ユニット（画像形成ユニット）としては、被吐出媒体上に水性液体成分と色材とを含む画像（インク像）を形成できるものであれば、特に限定されるものではない。なお、画像形成ユニットにより形成され、液吸収部材による液吸収処理に供される前の画像を「液除去前インク像」ともいう。また、液吸収処理を行って水性液体成分の含有量が低減された画像を「液除去後インク像」ともいう。
液吸収処理対象としての画像は、反応液とインクを、これらが少なくとも重複する領域を有するように被吐出媒体に付与することによって形成される。反応液により被吐出媒体上にインクとともに付与された色材の定着性が促進され、向上する。この色材の定着性の促進、向上は、被吐出媒体に付与されたインクが流動性を有している初期状態から、反応液の作用によってインク自体のあるいはインク中の色材の流動性が低下して、初期状態と比較して増粘して流動し難い固定化された状態となることをいう。そのメカニズムについては後述する。
画像形成ユニットにより形成される画像は、反応液とインクの混合物を含んで形成される。インクには水を含む水性液媒体が含まれており、また、必要に応じて反応液にも水を含む水性液媒体が含まれている。従って、画像には、これらの水性液媒体から供給される水を含む水性液体成分が色材とともに含まれる。
インクを被吐出媒体上に付与するインク付与装置としては、インクジェット記録デバイスが用いられる。
また、反応液は、インクと化学的または物理的に作用して、反応液及びインクの混合物を反応液及びインクのそれぞれよりも粘稠して色材の定着性を向上させる成分を含むことができる。反応液は、水性液媒体を含むことができる。水性液媒体は、少なくとも水を含み、必要に応じて水溶性有機溶媒や各種の添加剤を含む。
反応液及びインクの少なくとも一方には、水を第一の液体とした場合に、それ以外の第二の液体を含むことができる。第二の液体の揮発性の高低は問わないが、第一の液体よりも揮発性の高い液体であることが好ましい。
【００１０】
以下、本発明の一実施形態について説明する。
【００１１】
＜反応液付与装置＞
反応液付与装置は、反応液を被吐出媒体上に付与できるいかなる装置であってもよく、従来から知られている各種装置を適宜用いることができる。具体的には、グラビアオフセットローラ、インクジェットヘッド、ダイコーティング装置（ダイコータ）、ブレードコーティング装置（ブレードコータ）などが挙げられる。反応液付与装置による反応液の付与は、被吐出媒体上でインクと混合（反応）することができれば、インクの付与前に行っても、インクの付与後に行ってもよい。好ましくは、インクの付与前に反応液を付与する。反応液をインクの付与前に付与することによって、インクジェット方式による画像記録時に、隣接して付与されたインク同士が混ざり合うブリーディングや、先に着弾したインクが後に着弾したインクに引き寄せられてしまうビーディングを抑制することもできる。
【００１２】
＜反応液＞
反応液は、インクを高粘度化する成分（インク高粘度化成分）を含有する。インクの高粘度化とは、インクを構成している組成物の一部である色材や樹脂等がインク高粘度化成分と接触することによって化学的に反応し、あるいは物理的に吸着し、これによってインク全体の粘度の上昇が認められる場合や、色材などインクを構成する成分の一部が凝集することにより局所的に粘度の上昇が生じる場合をも含む。このインク高粘度化成分は被吐出媒体上でのインク及び／又はインク組成物の一部の流動性を低下せしめて、インクによる画像形成時のブリーディングや、ビーディングを抑制する効果がある。このようなインク高粘度化成分として、多価の金属イオン、有機酸、カチオンポリマー、多孔質性微粒子などの公知のものを用いることができる。中でも、特に多価の金属イオン及び有機酸が好適である。また、複数の種類のインク高粘度化成分を含有させることも好適である。尚、反応液中のインク高粘度化成分の含有量は、反応液全質量に対して５質量％以上であることが好ましい。
多価金属イオンとしては、例えば、Ｃａ２＋、Ｃｕ２＋、Ｎｉ２＋、Ｍｇ２＋、Ｓｒ２＋、Ｂａ２＋及びＺｎ２＋等の二価の金属イオンや、Ｆｅ３＋、Ｃｒ３＋、Ｙ３＋及びＡｌ３＋等の三価の金属イオンが挙げられる。
また有機酸としては、例えば、シュウ酸、ポリアクリル酸、ギ酸、酢酸、プロピオン酸、グリコール酸、マロン酸、リンゴ酸、マレイン酸、アスコルビン酸、レブリン酸、コハク酸、グルタル酸、グルタミン酸、フマル酸、クエン酸、酒石酸、乳酸、ピロリドンカルボン酸、ピロンカルボン酸、ピロールカルボン酸、フランカルボン酸、ピリジンカルボン酸、クマリン酸、チオフェンカルボン酸、ニコチン酸、オキシコハク酸、ジオキシコハク酸等が挙げられる。
反応液は水や低揮発性の有機溶剤を適量含有することができる。この場合に用いる水はイオン交換等により脱イオンした水であることが好ましい。また本発明に適用される反応液に用いることのできる有機溶剤としては特に限定されず、公知の有機溶剤を用いることができる。
また、反応液は界面活性剤や粘度調整剤を加えてその表面張力や粘度を適宜調整して用いることができる。用いられる材料としてはインク高粘度化成分と共存できるものであれば特に制限は無い。具体的に用いられる界面活性剤としては、アセチレングリコールエチレンオキシド付加物（製品名：「アセチレノールＥ１００」、川研ファインケミカル株式会社製商品名）、パーフルオロアルキルエチレンオキシド付加物（製品名：「メガファックＦ４４４」、ＤＩＣ株式会社製商品名）等が挙げられる。
【００１３】
＜インク付与装置＞
本実施形態ではインクを付与するインク付与装置として、インクジェットヘッドを用いる。インクジェットヘッドとしては、例えば電気−熱変換体によりインクに膜沸騰を生じさせ気泡を形成することでインクを吐出する形態、電気−機械変換体によってインクを吐出する形態、静電気を利用してインクを吐出する形態等が挙げられる。本実施形態では、公知のインクジェットヘッドを用いることができる。中でも特に高速で高密度の印刷の観点からは電気−熱変換体を利用したものが好適に用いられる。描画は画像信号を受け、各位置に必要なインク量を付与することにより行われる。
インク付与量は画像濃度（ｄｕｔｙ）やインク厚みで表現することができるが、本実施形態では各インクドットの質量に付与個数を掛け、印字面積で割った平均値をインク付与量（ｇ／ｍ２）とした。尚、画像領域における最大インク付与量とは、インク中の液体成分を除去する観点より、被吐出媒体の情報として用いられる領域内において、少なくとも５ｍｍ２以上の面積において付与されているインク付与量を示す。
インク付与装置は、被吐出媒体上に各色のカラーインクを付与するために、インクジェットヘッドを複数有していてもよい。例えば、イエローインク、マゼンタインク、シアンインク、ブラックインクを用いてそれぞれの色画像を形成する場合、インク付与装置は上記４種類のインクを被吐出媒体上にそれぞれ吐出する４つのインクジェットヘッドを有することになり、これらはＸ方向に並ぶように配置される。
また、インク付与装置は、色材を含有しない、あるいは含有したとしてもその割合が非常に低く、実質的に透明なクリアインクを吐出するインクジェットヘッドを含んでいてもよい。そしてこのクリアインクを反応液、カラーインクとともにインク像を形成するために利用することができる。例えば、画像の光沢性を向上させるためにこのクリアインクを用いることができる。画像が光沢感を醸すように、配合する樹脂成分を適宜調整し、さらには、クリアインクの吐出位置を制御するとよい。
このクリアインクは、最終記録物ではカラーインクよりも表層側にある方が望ましいので、転写体型の記録装置では、カラーインクよりも先に転写体上に付与するようにする。そのためにインク付与装置と対面する転写体１の移動方向において、クリアインク用のインクジェットヘッドをカラーインク用のインクジェットヘッドより上流側に配置することができる。
また、光沢用とは別に、転写体から記録媒体への画像の転写性を向上させるためにクリアインクを利用することができる。例えば、カラーインクよりも粘着性を発現する成分を多く含ませ、これをカラーインクに付与することで転写体上に付与する転写性向上液としてクリアインクを利用することができる。例えば、インク付与装置と対面する転写体１の移動方向において、転写性向上用のクリアインクのためのインクジェットヘッドをカラーインク用のインクジェットヘッドより下流流側に配置しておく。そしてカラーインクを転写体に付与した後、カラーインク付与後の転写体上にクリアインクを付与することで、インク像の最表面にはクリアインクが存在することになる。転写部での記録媒体へのインク像の転写において、インク像の表面のクリアインクはある程度の粘着力で記録媒体に粘着し、これによって、液除去後のインク像が記録媒体へ移動しやすくなる。
【００１４】
本実施形態に適用されるインクの各成分について説明する。
＜インク＞
（色材）
本実施形態に適用されるインクに含有される色材として、顔料又は染料と顔料との混合物を用いることができる。色材として用いることができる顔料の種類は特に限定されない。顔料の具体例としては、カーボンブラックなどの無機顔料；アゾ系、フタロシアニン系、キナクリドン系、イソインドリノン系、イミダゾロン系、ジケトピロロピロール系、ジオキサジン系などの有機顔料を挙げることができる。これらの顔料は、必要に応じて１種又は２種以上を用いることができる。
色材として用いることができる染料の種類は特に限定されない。染料の具体例としては、直接染料、酸性染料、塩基性染料、分散染料、食用染料などを挙げることができ、アニオン性基を有する染料を用いることができる。染料骨格の具体例としては、アゾ骨格、トリフェニルメタン骨格、フタロシアニン骨格、アザフタロシアニン骨格、キサンテン骨格、アントラピリドン骨格などが挙げられる。
インク中の顔料の含有量は、インク全質量に対し０．５質量％以上１５．０質量％以下であることが好ましく、１．０質量％以上１０．０質量％以下であることがより好ましい。
（色材）
本発明に適用されるインクに含有される色材として、顔料、又は染料と顔料との混合物を用いることができる。色材として用いることができる顔料の種類は特に限定されない。顔料の具体例としては、カーボンブラックなどの無機顔料、アゾ系、フタロシアニン系、キナクリドン系、イソインドリノン系、イミダゾロン系、ジケトピロロピロール系、ジオキサジン系などの有機顔料を挙げることができる。これらの顔料は、必要に応じて１種又は２種以上を用いることができる。
色材として用いることができる染料の種類は特に限定されない。染料の具体例としては、直接染料、酸性染料、塩基性染料、分散染料、食用染料などを挙げることができ、アニオン性基を有する染料を用いることができる。染料骨格の具体例としては、アゾ骨格、トリフェニルメタン骨格、フタロシアニン骨格、アザフタロシアニン骨格、キサンテン骨格、アントラピリドン骨格などが挙げられる。
インク中の顔料の含有量は、インク全質量に対し０．５質量％以上１５．０質量％以下であることが好ましく、１．０質量％以上１０．０質量％以下であることがより好ましい。
【００１５】
（分散剤）
顔料を分散させる分散剤としては、インクジェット用インクに用いられる公知の分散剤を使用することができる。中でも本実施形態の態様においては構造中に親水性部と疎水性部とを併せ持つ水溶性の分散剤を用いることが好ましい。特に、少なくとも親水性のモノマーと疎水性のモノマーとを含んで共重合させた樹脂からなる顔料分散剤が好ましく用いられる。ここで用いられる各モノマーについては特に制限はなく、公知のものが好適に用いられる。具体的には、疎水性モノマーとしては、スチレン及びその他のスチレン誘導体、アルキル（メタ）アクリレート、ベンジル（メタ）アクリレート等が挙げられる。また親水性モノマーとしては、アクリル酸、メタクリル酸、マレイン酸等が挙げられる。
該分散剤の酸価は５０ｍｇＫＯＨ／ｇ以上５５０ｍｇＫＯＨ／ｇ以下であることが好ましい。また、該分散剤の重量平均分子量は１０００以上５００００以下であることが好ましい。尚、顔料と分散剤との質量比（顔料：分散剤）としては１：０．１〜１：３の範囲であることが好ましい。
また分散剤を用いず、顔料自体を表面改質して分散可能としたいわゆる自己分散顔料を用いることも本実施形態において好適である。
【００１６】
（樹脂微粒子）
本実施形態に適用されるインクは、色材を有しない各種微粒子を含有させて用いることができる。中でも樹脂微粒子は画像品位や定着性の向上に効果がある場合があり好適である。
本実施形態に用いることのできる樹脂微粒子の材質としては、特に限定されず公知の樹脂を適宜用いることができる。具体的には、ポリオレフィン、ポリスチレン、ポリウレタン、ポリエステル、ポリエーテル、ポリ尿素、ポリアミド、ポリビニルアルコール、ポリ（メタ）アクリル酸及びその塩、ポリ（メタ）アクリル酸アルキル、ポリジエン等の単独重合物、または、これらの単独重合物を生成するためのモノマーを複数組み合わせて重合した共重合物が挙げられる。該樹脂の重量平均分子量（Ｍｗ）は、１，０００以上２，０００，０００以下の範囲が好適である。またインク中における樹脂微粒子の量は、インク全質量に対して１質量％以上５０質量％以下が好ましく、より好ましくは２質量％以上４０質量％以下である。
さらに本実施形態の態様においては、該樹脂微粒子が液中に分散した樹脂微粒子分散体として用いることが好ましい。分散の手法については特に限定はないが、解離性基を有するモノマーを単独重合もしくは複数種共重合させた樹脂を用いて分散させたいわゆる自己分散型樹脂微粒子分散体は好適である。ここで解離性基としてはカルボキシル基、スルホン酸基、リン酸基等が挙げられ、この解離性基を有するモノマーとしてはアクリル酸やメタクリル酸等が挙げられる。また、乳化剤により樹脂微粒子を分散させたいわゆる乳化分散型樹脂微粒子分散体も、同様に本実施形態に好適に用いることができる。ここで言う乳化剤としては、低分子量、高分子量に関わらず公知の界面活性剤が好ましい。該界面活性剤は、ノニオン性界面活性剤か、もしくは樹脂微粒子と同じ電荷を持つ界面活性剤が好ましい。
本実施形態の態様に用いる樹脂微粒子分散体は、１０ｎｍ以上１０００ｎｍ以下の分散粒径を有することが好ましく、さらに１００ｎｍ以上５００ｎｍ以下の分散粒径を有することがより好ましい。
また本実施形態の態様に用いる樹脂微粒子分散体を作製する際に、安定化のために各種添加剤を加えておくことも好ましい。該添加剤としては、例えば、ｎ−ヘキサデカン、メタクリル酸ドデシル、メタクリル酸ステアリル、クロロベンゼン、ドデシルメルカプタン、青色染料（ブルーイング剤）、ポリメチルメタクリレート等が挙げられる。
【００１７】
（界面活性剤）
本実施形態に用いることのできるインクは界面活性剤を含んでもよい。界面活性剤としては、具体的には、アセチレングリコールエチレンオキシド付加物（アセチレノ−ルＥ１００、川研ファインケミカル株式会社製）等が挙げられる。インク中の界面活性剤の量は、インク全質量に対して０．０１質量％以上５．０質量％以下であることが好ましい。
（水及び水溶性有機溶剤）
本実施形態に用いるインクは溶剤として水及び／または水溶性有機溶剤を含むことができる。水は、イオン交換等により脱イオンした水であることが好ましい。また、インク中の水の含有量は、インク全質量に対して３０質量％以上９７質量％以下であることが好ましい。
また用いる水溶性有機溶剤の種類は特に限定されず、公知の有機溶剤をいずれも用いることができる。具体的には、グリセリン、ジエチレングリコール、ポリエチレングリコール、ポリプロピレングリコール、エチレングリコール、プロピレングリコール、ブチレングリコール、トリエチレングリコール、チオジグリコール、ヘキシレングリコール、エチレングリコールモノメチルエーテル、ジエチレングリコールモノメチルエーテル、２−ピロリドン、エタノール、メタノール、等が挙げられる。もちろん、これらの中から選択した２種類以上のものを混合して用いることも出来る。
また、インク中の水溶性有機溶剤の含有量は、インク全質量に対して３質量％以上７０質量％以下であることが好ましい。
【００１８】
（その他添加剤）
本実施形態に用いることのできるインクは上記成分以外にも必要に応じて、ｐＨ調整剤、防錆剤、防腐剤、防黴剤、酸化防止剤、還元防止剤、水溶性樹脂及びその中和剤、粘度調整剤など種々の添加剤を含有してもよい。
【００１９】
＜液吸収部材＞
本実施形態では、液除去前のインク像から液体成分の少なくとも一部を、多孔質体を有する液吸収部材と接触させて吸収することで除去し、インク像中の液体成分の含有量を減少させる。液吸収部材のインク像との接触面を第一の面とし、第一の面に多孔質体が配置される。このような多孔質体を有する液吸収部材は、被吐出媒体の移動に連動して移動し、インク像と接触した後、所定の周期で別の液除去前のインク像に再接触する循環して液吸収が可能な形状を有するものが好ましい。例えば、無端ベルト状やドラム状などの形状が挙げられる。
【００２０】
（多孔質体）
本実施形態に係る液吸収部材の多孔質体は、第一の面側の平均孔径が、第一の面と対向する第ニの面側の平均孔径よりも小さい物を使用することが好ましい。インク中の色材が多孔質体へ付着することを抑制するため、孔径は小さいことが好ましく、少なくとも画像と接触する第一の面側の多孔質体の平均孔径は、１０μｍ以下であることが好ましい。なお、本実施形態において平均孔径とは第一の面または第二の面の表面での平均直径のことを示し、公知の手段、例えば水銀圧入法や、窒素吸着法、ＳＥＭ画像観察等で測定可能である。
また、均一に高い通気性とするために多孔質体の厚みを薄くすることが好ましい。通気性はＪＩＳ  Ｐ８１１７で規定されるガーレー値で示すことができ、ガーレー値は１０秒以下であることが好ましい。
但し、多孔質体を薄くすると、液体成分を吸収するために必要な容量を十分に確保できない場合があるため、多孔質体を多層構成とすることが可能である。また、液吸収部材は、インク像と接触する層が多孔質体であればよく、インク像と接触しない層は多孔質体でなくてもよい。
次に、多孔質体を多層構成とする場合の実施形態について説明する。ここではインク像に接触する側の第一の層、第一の層のインク像との接触面と反対の面に積層される層を第二の層として説明する。さらに多層の構成についても順次第一の層からの積層順で表記する。なお、本明細書において、第一の層を「吸収層」、第二の層以降を「支持層」ということがある。
［第一の層］
本実施形態において、第一の層の材料は特に限定されることはなく、水に対する接触角が９０°未満の親水性材料と、接触角が９０°以上の撥水性の材料のいずれも使用することができる。
親水性材料としては、セルロースやポリアクリルアミドなどの単一素材、またはこれらの複合材料などから好ましく選択される。また、下記の撥水性材料の表面を親水化処理して用いることもできる。親水化処理としては、スパッタエッチング法、放射線やＨ２Ｏイオン照射、エキシマ（紫外線）レーザー光照射などの方法が挙げられる。
親水性材料の場合、水に対する接触角が６０°以下であることがより好ましい。親水性材料の場合、毛管力により液体、特に水を吸い上げる効果がある。
一方、色材の付着を抑制するため及びクリーニング性を高くするため、第一の層の材料は、表面自由エネルギーの低い撥水性材料、特にフッ素樹脂であることが好ましい。フッ素樹脂としては、具体的に、ポリテトラフルオロエチレン（ＰＴＦＥ）、ポリクロロトリフルオロエチレン（ＰＣＴＦＥ）、ポリフッ化ビニリデン（ＰＶＤＦ）、ポリフッ化ビニル（ＰＶＦ）、パーフルオロアルコキシフッ素樹脂（ＰＦＡ）、四フッ化エチレン・六フッ化プロピレン共重合体（ＦＥＰ）、エチレン・四フッ化エチレン共重合体（ＥＴＦＥ）、エチレン・クロロトリフルオロエチレン共重合体（ＥＣＴＦＥ）等が挙げられる。これらの樹脂は、必要に応じて１種又は２種以上を用いることができ、第一の層の中に複数の膜が積層された構成でもよい。撥水性材料の場合、毛管力により液体を吸い上げる効果が殆どなく、初めて画像と接触する際に液体の吸い上げに時間を要することがある。このため、第一の層中に第一の層との接触角が９０°未満である液体をしみ込ませておくことが好ましい。この液体は、液吸収部材の第一面から塗布することで第一の層中にしみ込ませておくことができる。この液体は、水に界面活性剤や第一の層との接触角の低い液体を混合して調製することが好ましい。
本実施形態において、第一の層の膜厚は、５０μｍ以下であることが好ましい。膜厚は、３０μｍ以下がより好ましい。本実施形態において、膜厚は、直進式のマイクロメーターＯＭＶ＿２５（ミツトヨ製）で任意の１０点の膜厚を測定し、その平均値を算出することで得た。
第一の層は、公知の薄膜多孔質膜の製造方法により製造することができる。例えば、樹脂材料を押出成形などの方法でシート状物を得た後、所定の厚みに延伸することで得ることができる。また、押出成形時の材料にパラフィン等の可塑剤を添加し、延伸時に加熱などにより可塑剤を除去することで多孔質膜として得ることができる。孔径は添加する可塑剤の添加量、延伸倍率などを適宜調整することで調節することができる。
【００２１】
［第二の層］
本実施形態において、第二の層は通気性をもつ層であることが好ましい。このような層は樹脂繊維の不織布でもよいし、織布でも良い。第二の層の材料としては、特に限定されないが、第一の層側へ吸収した液体が逆流しないように、第一の層に対して第一の液体との接触角が同等かそれよりも低い材料であることが好ましい。具体的には、ポリオレフィン（ポリエチレン（ＰＥ）、ポリプロピレン（ＰＰ）など）、ポリウレタン、ナイロンなどのポリアミド、ポリエステル（ポリエチレンテレフタラート（ＰＥＴ）など）、ポリスルフォン（ＰＳＦ）などの単一素材、またはこれらの複合材料などから好ましく選択される。また、第二の層は第一の層よりも孔径の大きな層であることが好ましい。
［第三の層］
本実施形態において、多層構造の多孔質体は３層以上の構成であってもよく、限定されない。三層目（第三の層ともいう）以降の層としては剛性の観点から不織布が好ましい。材料としては第二の層と同様なものが用いられる。
［その他の材料］
液吸収部材には、上記の積層構造の多孔質体以外に、液吸収部材の側面を補強する補強部材を有してもよい。また、長尺のシート形状の多孔質体の長手方向端部を繋いでベルト状の部材とする際の接合部材を有してもよい。このような材料としては非孔質のテープ材などを用いることができ、画像と接触しない位置あるいは周期に配置すればよい。
［多孔質体の製造方法］
第一の層と第二の層を積層して多孔質体を形成する方法は、特に限定されることはない。重ね合わせるだけでもよいし、接着剤ラミネートまたは熱ラミネートなどの方法を用いて互いに接着してもよい。通気性の観点から、本実施形態においては熱ラミネートが好ましい。また、例えば、加熱により、第一の層または第二の層の一部を溶融させて接着積層してもよい。また、ホットメルトパウダーのような融着材を第一の層と第二の層の間に介在させて加熱により互いに接着積層してもよい。第三の層以上を積層する場合は、一度に積層させてもよいし、順次積層させてもよく、積層順に関しては適宜選択される。
加熱工程では、加熱されたローラで多孔質体を挟み込んで加圧しながら、多孔質体を加熱するラミネート法が好ましい。
【００２２】
次に、本発明にかかるインクジェット記録装置の具体的な実施形態例について説明する。
本発明のインクジェット記録装置としては以下の方式の装置を挙げることができる。
（Ａ）被吐出媒体としての転写体上に画像（液除去前インク像）を形成し、液吸収部材による液体成分吸収後の画像（液除去後インク像）を記録媒体へ転写するインクジェット記録装置。
（Ｂ）被吐出媒体としての記録媒体上に画像を形成するインクジェット記録装置。
なお、本発明において、前者のインクジェット記録装置を、以下便宜的に転写型インクジェット記録装置と称し、後者のインクジェット記録装置を、以下便宜的に直接描画型インクジェット記録装置と称する。
転写型インクジェット記録装置では、転写体はその画像形成面に画像を一時的に保持し、転写体に一時的に保持された画像が記録媒体に転写され、記録媒体上に最終画像が形成される。
以下にそれぞれのインクジェット記録装置について説明する。
【００２３】
（転写型インクジェット記録装置）
図１は、本実施形態の転写型インクジェット記録装置１００の概略構成の一例を示す模式図である。
図１は、本実施形態の転写型インクジェット記録装置１００の概略構成の一例を示す模式図である。この記録装置は、転写体１０１を介して記録媒体１０８にインク像を転写することで記録物を製造する、枚葉式のインクジェット記録装置である。本実施形態では、Ｘ方向、Ｙ方向、Ｚ方向が、それぞれ、インクジェット記録装置１００の幅方向（全長方向）、奥行き方向、高さ方向を示している。記録媒体ＰはＸ方向に搬送される。
本発明の転写型インクジェット記録装置１００は、図１に示すように、支持部材１０２によって支持された転写体１０１と、転写体１０１上にカラーインクと反応する反応液を付与する反応液付与装置１０３と、反応液が付与された転写体１０１上に有色のインクを付与し、転写体上に、インクによる画像であるインク像を形成するインクジェットヘッドを備えたインク付与装置１０４と、転写体上のインク像から液体成分を吸収する液吸収装置１０５と、液体成分を除去した転写体上のインク像を紙などの記録媒体１０８上に転写するための転写用の押圧部材１０６とを有する。本実施形態では、転写用の押圧部材１０６と転写体１０１の支持部材１０２ａ、記録媒体搬送装置１０７により転写ユニットが形成されている。
また、転写型インクジェット記録装置１００は、必要に応じて転写した後の転写体１０１の表面をクリーニングする転写体クリーニング部材１０９を有していてもよい。さらに、液吸収装置１０５は、液吸収部材１０５ａの表面をクリーニングする液吸収部材クリーニング装置１１０と、前処理液収容部１０３ａ、前処理付与部材１０３ｂを有し、液吸収部材１０５ａに前処理液を付与する前処理部材１１１を有してもよい。更に、液吸収装置１０５は、保持液量調整部材１１２ｂ及び保持液収容部１１２ａを有し、液吸収部材１０５ａの液保持量を適切な量に調整する保持液量調整装置１１２を有してもよい。
当然のことではあるが、転写体１０１、反応液付与装置１０３、インク付与装置１０４のインクジェットヘッド、液吸収装置１０５および転写体クリーニング部材１０９、液吸収部材クリーニング部材１１０、前処理部材１１１および保持液量調整部材１１２は、それぞれ、Ｙ方向において用いられる記録媒体１０８に対応するだけの長さを有している。
転写体１０１は支持部材１０２の回転軸１０２ａを中心として図１の矢印Ａの方向に回転する。この支持部材１０２の回転により、転写体１０１が移動する。移動する転写体１０１上に、反応液付与装置１０３によって反応液、および、インク付与装置１０４によってインクが順次付与され、転写体１０１上にインク像が形成される。転写体１０１上に形成されたインク像は、転写体１０１の移動により、液吸収装置１０５が有する液吸収部材１０５ａと接触する位置まで移動される。
【００２４】
転写体１０１と液吸収装置１０５は、転写体１０１の回転に同期して移動し、液吸収装置は図１の矢印Ｂの方向に回転する。転写体１０１上に形成されたインク像はこの移動する液吸収部材１０５ａと接触した状態を経る。この間に液吸収部材１０５ａは転写体上のインク像から液体成分を除去する。この接触した状態において、液吸収部材１０５aは、所定の押圧力をもって転写体１０１に押圧されることが液吸収部材１０５aを効果的に機能させる点で特に好ましい。
液体成分の除去を異なる視点で説明すれば、転写体上に形成された画像を構成するインクを濃縮するとも表現することができる。インクを濃縮するとは、インクに含まれる液体成分が減少することによって、インクに含まれる色材や樹脂といった固形分の液体成分に対する含有割合が増加することを意味する。
そして、液体成分が除去された液除去後のインク像は、液除去前のインク像と比べてインクが濃縮された状態となり、さらに転写体１０１により、記録媒体搬送装置１０７によって搬送される記録媒体１０８と接触する転写部へ移動される。液除去後のインク像が記録媒体１０８と接触している間に、押圧部材１０６が転写体１０１を押圧することによって、記録媒体１０８上にインク像が転写される。記録媒体１０８上に転写された転写後インク像は液除去前のインク像、および液除去後のインク像の反転画像である。
なお、本実施形態では転写体上には反応液が付与されてからインクが付与されて画像が形成されるため、インクによる画像が形成されない非画像領域には反応液がインクと反応することなく残っている。本装置では液吸収部材１０５ａは画像からのみならず、未反応の反応液とも接触し、反応液の液体成分も併せて除去している。
したがって、以上では、画像から液体成分を除去すると表現し説明しているが、画像のみから液体成分を除去するという限定的な意味合いではなく、少なくとも転写体上の画像から液体成分を除去していればよいという意味合いで用いている。
なお、液体成分は、一定の形を持たず、流動性を有し、ほぼ一定の体積を有するものであれば、特に限定されるものではない。
例えば、インクや反応液に含まれる水や有機溶媒等が液体成分として挙げられる。
【００２５】
本実施形態の転写型インクジェット記録装置の各構成について以下に説明する。
＜転写体＞
転写体１０１は、画像形成面を含む表面層を有する。表面層の部材としては、樹脂、セラミック等各種材料を適宜用いることができるが、耐久性等の点で圧縮弾性率の高い材料が好ましい。具体的には、アクリル樹脂、アクリルシリコーン樹脂、フッ素含有樹脂、加水分解性有機ケイ素化合物を縮合して得られる縮合物等が挙げられる。反応液の濡れ性、転写性等を向上させるために、表面処理を施して用いてもよい。表面処理としては、フレーム処理、コロナ処理、プラズマ処理、研磨処理、粗化処理、活性エネルギー線照射処理、オゾン処理、界面活性剤処理、シランカップリング処理などが挙げられる。これらを複数組み合わせてもよい。また、表面層に任意の表面形状を設けることもできる。
また転写体は、圧力変動を吸収する機能を有する圧縮層を有することが好ましい。圧縮層を設けることで、圧縮層が変形を吸収し、局所的な圧力変動に対してその変動を分散し、高速印刷時においても良好な転写性を維持することができる。圧縮層の部材としては、例えばアクリロニトリル−ブタジエンゴム、アクリルゴム、クロロプレンゴム、ウレタンゴム、シリコーンゴム等が挙げられる。上記ゴム材料の成形時に、所定量の加硫剤、加硫促進剤等を配合し、さらに発泡剤、中空微粒子或いは食塩等の充填剤を必要に応じて配合し多孔質としたものが好ましい。これにより、様々な圧力変動に対して気泡部分が体積変化を伴って圧縮されるため、圧縮方向以外への変形が小さく、より安定した転写性、耐久性を得ることができる。多孔質のゴム材料としては、各気孔が互いに連続した連続気孔構造のものと、各気孔がそれぞれ独立した独立気孔構造のものがある。本発明ではいずれの構造であってもよく、これらの構造を併用してもよい。
さらに転写体は、表面層と圧縮層との間に弾性層を有することが好ましい。弾性層の部材としては、樹脂、セラミック等、各種材料を適宜用いることができる。加工特性等の点で、各種エラストマー材料、ゴム材料が好ましく用いられる。具体的には、例えばフルオロシリコーンゴム、フェニルシリコーンゴム、フッ素ゴム、クロロプレンゴム、ウレタンゴム、ニトリルゴム、エチレンプロピレンゴム、天然ゴム、スチレンゴム、イソプレンゴム、ブタジエンゴム、エチレン／プロピレン／ブタジエンのコポリマー、ニトリルブタジエンゴム等が挙げられる。特に、シリコーンゴム、フルオロシリコーンゴム、フェニルシリコーンゴムは、圧縮永久ひずみが小さいため、寸法安定性、耐久性の面で好ましい。また、温度による弾性率の変化が小さく、転写性の点でも好ましい。
転写体を構成する各層（表面層、弾性層、圧縮層）の間に、これらを固定・保持するために各種接着剤や両面テープを用いてもよい。また、装置に装着する際の横伸びの抑制や、コシを保つために圧縮弾性率が高い補強層を設けてもよい。また、織布を補強層としてもよい。転写体は前記材質による各層を任意に組み合わせて作製することができる。
転写体の大きさは、目的の印刷画像サイズに合わせて自由に選択することができる。転写体の形状としては、特に制限されず、具体的にはシート形状、ローラ形状、ベルト形状、無端ウェブ形状等が挙げられる。
【００２６】
＜支持部材＞
転写体１０１は、支持部材１０２上に支持されている。転写体の支持方法として、各種接着剤や両面テープを用いてもよい。または、転写体に金属、セラミック、樹脂等を材質とした設置用部材を取り付けることで、設置用部材を用いて転写体を支持部材１０２上に支持してもよい。
支持部材１０２は、その搬送精度や耐久性の観点からある程度の構造強度が求められる。支持部材の材質には金属、セラミック、樹脂等が好ましく用いられる。中でも特に、転写時の加圧に耐え得る剛性や寸法精度のほか、動作時のイナーシャを軽減して制御の応答性を向上するために、アルミニウム、鉄、ステンレス、アセタール樹脂、エポキシ樹脂、ポリイミド、ポリエチレン、ポリエチレンテレフタレート、ナイロン、ポリウレタン、シリカセラミクス、アルミナセラミクスが好ましく用いられる。またこれらを組み合わせて用いるのも好ましい。
【００２７】
＜反応液付与装置＞
本実施形態のインクジェット記録装置は、転写体１０１に反応液を付与する反応液付与装置１０３を有する。図１の反応液付与装置１０３は、反応液を収容する反応液収容部１０３ａと、反応液収容部１０３ａにある反応液を転写体１０１上に付与する反応液付与部材１０３ｂ、１０３ｃを有するグラビアオフセットローラの場合を示している。
【００２８】
＜インク付与装置＞
本実施形態のインクジェット記録装置は、転写体１０１にインクを付与するインク付与装置１０４を有する。転写体上では反応液とインクとが混合され、反応液とインクとによってインク像が形成され、さらに、液吸収装置１０５にてインク像から液体成分が吸収される。
本実施形態ではインクジェットヘッドはＹ方向に延設されたフルラインヘッドであり、使用可能な最大サイズの記録媒体の画像記録領域の幅分をカバーする範囲にノズルが配列されている。インクジェットヘッドはその下面（転写体１０１側）にノズルが開口したインク吐出面を有しており、インク吐出面は微小な隙間（数ミリ程度）を空けて転写体１０１の表面と対向している。
インク付与装置１０４は、被吐出媒体上に各色のカラーインクを付与するために、インクジェットヘッドを複数有していてもよい。例えば、イエローインク、マゼンタインク、シアンインク、ブラックインクを用いてそれぞれの色画像を形成する場合、インク付与装置は上記４種類のインクを被吐出媒体上にそれぞれ吐出する４つのインクジェットヘッドを有することになり、これらはＸ方向に並ぶように配置される。
また、インク付与装置は、色材を含有しない、あるいは含有したとしてもその割合が非常に低く、実質的に透明なクリアインクを吐出するインクジェットヘッドを含んでいてもよい。そしてこのクリアインクを反応液、カラーインクとともにインク像を形成するために利用することができる。例えば、画像の光沢性を向上させるためにこのクリアインクを用いることができる。転写後の画像が光沢感を醸すように、配合する樹脂成分を適宜調整し、さらには、クリアインクの吐出位置を制御するとよい。このクリアインクは、最終記録物ではカラーインクよりも表層側にある方が望ましいので、転写体型の記録装置では、カラーインクよりも先に転写体１０１上に付与するようにする。そのためにインク付与装置１０４と対面する転写体１０１の移動方向において、クリアインク用のインクジェットヘッドをカラーインク用のインクジェットヘッドより上流側に配置することができる。
また、光沢用とは別に、転写体１０１から記録媒体への画像の転写性を向上させるために利用することができる。例えば、カラーインクよりも粘着性を発現する成分を多く含ませ、これをカラーインクに付与することで転写体１０１上に付与する転写性向上液としてクリアインクを利用することができる。例えば、インク付与装置１０４と対面する転写体１０１の移動方向において、転写性向上用のクリアインクのためのインクジェットヘッドをカラーインク用のインクジェットヘッドより下流側に配置しておく。そしてカラーインクを転写体１０１に付与した後、カラーインク付与後の転写体上にクリアインクを付与することで、インク像の最表面にはクリアインクが存在することになる。転写部での記録媒体へのインク像の転写において、インク像の表面のクリアインクはある程度の粘着力で記録媒体１０８に粘着し、これによって、液除去後のインク像が記録媒体１０８へ移動しやすくなる。
【００２９】
＜液吸収装置＞
本実施形態において、液吸収装置１０５は、液吸収部材１０５ａ、および液吸収部材１０５ａを転写体１０１上のインク像に押し当てる液吸収用の押圧部材１０５ｂを有する。液吸収部材１０５ａは、液吸収部材搬送装置（不図示）によって搬送され、転写体１０１に当接して画像からの液吸収処理を行う液吸収処理領域に再送され、繰り返して利用できるようになっている。
押圧部材１０５ｂの転写体１０１に対する位置は、位置制御機構（不図示）によって調整でき、例えば、図１に示す矢印Ｄ方向に往復移動可能としておき、液体吸収処理が必要とされるタイミングで液吸収部材１０５ａを転写体１０１の外周面に接触させ、また、この外周面から離間させることができる。
なお、液吸収部材１０５ａおよび押圧部材１０５ｂの形状については特に制限がない。例えば、図１に示すように、押圧部材１０５ｂが円柱形状であり、液吸収部材１０５ａがベルト形状であって、円柱形状の押圧部材１０５ｂでベルト形状の液吸収部材１０５ａを転写体１０１に押し当てる構成であってもよい。また、押圧部材１０５ｂが円柱形状であり、液吸収部材１０５ａが円柱形状の押圧部材１０５ｂの周面上に形成された円筒形状であって、円柱形状の押圧部材１０５ｂで円筒形状の液吸収部材１０５ａを転写体に押し当てる構成であってもよい。
本実施形態において、インクジェット記録装置内でのスペース等を考慮すると、液吸収部材１０５ａはベルト形状であることが好ましい。
また、このようなベルト形状の液吸収部材１０５ａを有する液吸収装置１０５は、液吸収部材１０５ａを張架する張架部材を有していてもよい。図１において、１０５ｃは張架部材としての張架ローラである。本実施形態では、張架ローラ１０５ｃの少なくとも一つを液吸収部材１０５ａの搬送用の駆動ローラとすることにより、液吸収部材搬送装置を構成している。なお、液吸収部材搬送装置の形態はこれに限定されず、各種の搬送装置の構成を利用することができる。
図１において、押圧部材１０５ｂも張架ローラと同様に回転するローラ部材としているが、これに限定されるものではない。液吸収装置１０５では、多孔質体を有する液吸収部材１０５ａを押圧部材１０５ｂによってインク像に押し当てて接触させることで、インク像に含まれる液体成分を液吸収部材１０５ａに吸収させ、液体成分を減少させる。インク像中の液体成分を減少させる方法として、液吸収部材を接触させる本方式に加え、その他従来から用いられている各種手法、例えば、加熱による方法、低湿空気を送風する方法、減圧する方法等を組み合わせても良い。また、液体成分を減少させた液除去後のインク像にこれらの方法を適用してさらに液体成分を減少させてもよい。
【００３０】
以下、液吸収装置１０５における、各種条件と構成について詳細に述べる。
（クリーニング処理）
本実施形態において、液吸収装置１０５では、液吸収部材１０５ａ表面への付着物を除去する液吸収部材クリーニング装置１１０を有する。液吸収部材クリーニング部材１１０ａは、当接しながら液吸収部材１０５ａの動作に同期して回転し、予期せず液吸収部材１０５ａへ付着した紙粉やインクなどを除去する。液吸収部材クリーニング部材１１０ａは、ある程度のニップ幅と付着力を発揮できるよう弾性がある方が好ましく、ゴムなどの弾性ローラであることが好ましい。液吸収部材クリーニング部材１１０ａへの付着物は、クリーニングブレード１１０ｂにより掻きとられる。液吸収部材クリーニング部材１１０ａの当接圧は、特に限定されることはないが、０．０１ＭＰａ以上であれば付着物の安定的な除去が可能であるため好ましい。また、当接圧力は１．０ＭＰａ以下であれば、装置への構造上の負荷が抑制できるため好ましい。
また、液吸収部材１０５ａに対してクリーニングを実施する位置への移動と、液吸収部材１０５ａから離間する動作、例えば図示する矢印Ｅ方向の往復移動が、必要とされるタイミングで可能となるように、液吸収部材クリーニング装置を設置することができる。例えば、昇降用エアーシリンダ（不図示）により昇降可能とした昇降ステージ（不図示）に液吸収部材クリーニング装置を配置した構成により、上述する往復移動を行うことができる。
【００３１】
（前処理）
本実施形態において、多孔質体を有する液吸収部材１０５ａをインク像に接触させる前に、液吸収部材に処理液を付与する前処理手段によって前処理を施すことが好ましい。本実施形態に用いる処理液は、水及び水溶性有機溶剤を含有することが好ましい。水は、イオン交換等により脱イオンした水であることが好ましい。また、水溶性有機溶剤の種類は特に限定されず、エタノールやイソプロピルアルコール等の公知の有機溶剤をいずれも用いることができる。
本発明に用いる多孔質体の処理液の付与方法は浸漬、塗布、液滴下など、特に限定されないが、処理液の安定的な付与や装置内での高速付与等のため、ローラ加圧方式の塗布法であることが好ましい。
図１では、処理液付与部材１１１ａ、１１１ｂとしての前処理液が入ったチャンバーとオフセットローラとの組み合わせによる処理液付与装置１１１が図示されている。
本発明において、処理液の付与のタイミングは特に限定されることはない。ドラム状や無端ウェブ状の液吸収部材を順次周回搬送して前処理を行う場合には、１周毎に処理液を付与しても良いし、数周に一度処理液を付与する等、適宜処理液の付与タイミングを制御するようにしても良い。
また、液吸収部材１０５ａに対して処理液を付与する位置への移動と液吸収部材１０５ａから離間する動作、例えば図示する矢印Ｆ方向の往復移動が、必要とされるタイミングで可能となるように、前処理液付与装置を設置することができる。例えば、昇降用エアーシリンダ（不図示）により昇降可能とした昇降ステージ（不図示）に前処理液付与装置を配置した構成により、上述する往復移動を行うことができる。
図１に示す実施形態においては、液吸収部材１０５ａを第一の画像に接触させる前に、液吸収部材の多孔質体に処理液を付与する前処理液付与装置１１０によって前処理としての処理液を施すことができる。
処理液の付与圧は、特に限定されることはないが、０．１ＭＰａ以上であれば処理液の安定的な付与や装置内で高速に付与することができるため好ましい。また、圧力は１．０ＭＰａ以下であれば、装置への構造上の負荷が抑制できるため好ましい。
【００３２】
（保持液量調整処理）
また液吸収装置１０５は、液吸収部材１０５ａの保持する液量を適切な量に維持するための保持液量調整部材１１２を有する。保持液量調整部材１１２ｂは、当接しながら液吸収部材１０５ａの動作に同期して回転し、液吸収部材１０５ａから液体を搾り取る。搾り取られた液体は処理液収容部１１２ａへと収容され、図示されない排出路を通って処理される。保持液量調整部材は、ある程度のニップ幅を確保滴るよう弾性がある方が好ましく、ゴムなどの弾性ローラであることが好ましい。
保持液量調整部材１１２ｂの当接圧は、特に限定されることはないが、０．０１ＭＰａ以上であれば液吸収部材１０５ａに不要に保持された液体の安定的な除去が可能であるため好ましい。また、当接圧力は１．０ＭＰａ以下であれば、装置への構造上の負荷が抑制できるため好ましい。
また、液吸収部材１０５ａに対して保持液量を調整する位置への移動と、液吸収部材１０５ａから離間する動作、例えば図示する矢印Ｇ方向の往復移動が、必要とされるタイミングで可能となるように、保持液量調整装置を設置することができる。例えば、昇降用エアーシリンダ（不図示）により昇降可能とした昇降ステージ（不図示）に保持液量調整装置を配置した構成により、上述する往復移動を行うことができる。
（加圧条件）
転写体上のインク像に対して接触するときの液吸収部材の圧力が０．２９ＭＰａ（３ｋｇｆ／ｃｍ２）以上であれば、インク像中の液体成分をより短時間に固液分離でき、インク像中から液体成分を除去できるため好ましい。尚、本明細書における液吸収部材の圧力とは、被吐出媒体と液吸収部材との間のニップ圧を示しており、面圧分布測定器（商品名：「Ｉ−ＳＣＡＮ」、新田株式会社製）を用いて面圧測定を行い、加圧領域における加重を面積で割り、値を算出したものである。
【００３３】
（作用時間）
インク像に液吸収部材１０５ａを接触させる作用時間は、インク像中の色材が液吸収部材へ付着することをより抑制するために、５０ｍｓ以内であることが好ましい。尚、本明細書における作用時間とは、上述した面圧測定における、被吐出媒体の移動方向における圧力感知幅を、被吐出媒体の移動速度で割って算出される。以降、この作用時間を液吸収ニップ時間と称す。
このようにして、転写体１０１上には、液体成分が吸収され、液体成分の減少したインク像が形成される。この液除去後のインク像は次に転写用の押圧部材１０６と転写体１０１との接触部である転写部において記録媒体１０８上に転写される。転写時の装置構成及び条件について説明する。
【００３４】
＜転写用の押圧部材＞
本実施形態では、記録媒体搬送手段１０７によって搬送される記録媒体１０８上に転写体１０１上の液除去後のインク像を、転写用の押圧部材１０６により記録媒体１０８に接触させることで転写する。転写体１０１上のインク像に含まれる液体成分を除去した後に、記録媒体１０８へ転写することにより、カールや、コックリング等を抑制した記録画像を得ることが可能となる。
押圧部材１０６は記録媒体１０８の搬送精度や耐久性の観点からある程度の構造強度が求められる。押圧部材１０６の材質には金属、セラミック、樹脂等が好ましく用いられる。中でも特に、転写時の加圧に耐え得る剛性や寸法精度のほか、動作時のイナーシャを軽減して制御の応答性を向上するために、アルミニウム、鉄、ステンレス、アセタール樹脂、エポキシ樹脂、ポリイミド、ポリエチレン、ポリエチレンテレフタレート、ナイロン、ポリウレタン、シリカセラミクス、アルミナセラミクスが好ましく用いられる。またこれらを組み合わせて用いてもよい。
転写体１０１上の液除去後のインク像を記録媒体１０８に転写するために押圧部材１０６が転写体を押圧する押圧時間については特に制限はないが、転写が良好に行われ、かつ転写体の耐久性を損なわないようにするために、５ｍｓ以上１００ｍｓ以下であることが好ましい。尚、本実施形態における押圧時間とは、記録媒体１０８と転写体１０１間が接触している時間を示しており、面圧分布測定器（「Ｉ−ＳＣＡＮ」、新田株式会社製）を用いて面圧測定を行い、加圧領域の搬送方向長さを搬送速度で割り、値を算出したものである。
また、転写体１０１上の液除去後のインク像を記録媒体１０８に転写するために押圧部材１０６が転写体１０１を押圧する圧力についても特に制限はないが、転写が良好に行われ、かつ転写体の耐久性を損なわないようにする。このために、圧力が０．１ＭＰａ以上３．０ＭＰａ以下であることが好ましい。尚、本実施形態における圧力とは、記録媒体１０８と転写体１０１間のニップ圧を示しており、面圧分布測定器を用いて面圧測定を行い、加圧領域における加重を面積で割り、値を算出したものである。
転写体１０１上の液除去後のインク像を記録媒体１０８に転写するために押圧部材１０６が転写体１０１を押圧しているときの温度についても特に制限はないが、インクに含まれる樹脂成分のガラス転移点以上又は軟化点以上であることが好ましい。また、加熱には転写体１０１上の第二の画像、転写体１０１及び記録媒体１０８を加熱する加熱手段を備える態様が好ましい。
転写手段１０６の形状については特に制限されないが、例えばローラ形状のものが挙げられる。
【００３５】
＜記録媒体および記録媒体搬送装置＞
本実施形態において、記録媒体１０８は特に限定されず、公知の記録媒体をいずれも用いることができる。記録媒体としては、ロール状に巻回された長尺物、あるいは所定の寸法に裁断された枚葉のものが挙げられる。材質としては、紙、プラスチックフィルム、木板、段ボール、金属フィルムなどが挙げられる。
また、図１において、記録媒体１０８を搬送するための記録媒体搬送装置１０７は、記録媒体繰り出しローラ１０７ａおよび記録媒体巻き取りローラ１０７ｂによって構成されているが、記録媒体を搬送できればよく、特にこの構成に限定されるものではない。
【００３６】
＜制御システム＞
本実施形態における転写型インクジェット記録装置は、装置動作制御部として、各装置を制御する制御システムを有する。図３は図１に示す転写型インクジェット記録装置における、装置全体の制御システムを示すブロック図である。
図３において、３０１は外部プリントサーバー等の記録データ生成部、３０２は操作パネル等の操作制御部、３０３は記録プロセスを実施するためのプリンタ制御部、３０４は記録媒体を搬送するための記録媒体搬送制御部、３０５は印刷するためのインクジェットデバイスである。
図４は図１の転写型インクジェット記録装置におけるプリンタ制御部のブロック図である。
４０１はプリンタ全体を制御するＣＰＵ、４０２はＣＰＵ４０１の制御プログラムを格納するためのＲＯＭ、４０３はプログラムを実行するためのＲＡＭである。４０４はネットワークコントローラ、シリアルＩＦコントローラ、ヘッドデータ生成用コントローラ、モーターコントローラ等を内蔵した特定用途向けの集積回路（Application Specific Integrated Circuit:ＡＳＩＣ）である。４０５は液吸収部材搬送モータ４０６を駆動するための液吸収部材搬送制御部であり、ＡＳＩＣ４０４からシリアルＩＦを介して、コマンド制御される。４０７は転写体駆動モータ４０８を駆動するための転写体駆動制御部であり、同様にＡＳＩＣ４０４からシリアルＩＦを介してコマンド制御される。４０９はヘッド制御部であり、インクジェットデバイス３０５の最終吐出データ生成、駆動電圧生成等を行う。４１０はクリーニング部の制御部であり、液吸収部材クリーニング装置の昇降用エアーシリンダ（不図示）を駆動するための液吸収部材クリーニング装置の昇降制御部、すなわち液吸収部材クリーニング制御部として利用することができる。クリーニング部の制御部４１０はＡＳＩＣ４０４からシリアルＩＦを介して、コマンド制御される。４１１は液付与部の制御部であり、回復液付与装置の昇降用エアーシリンダ（不図示）を駆動するための回復液付与装置の昇降制御部、すなわち回復液付与制御部として利用することができる。液付与部の制御部４１１はＡＳＩＣ４０４からシリアルＩＦを介して、コマンド制御される。４１２は保持液量調整部の制御部であり、保持液量調整装置の昇降用エアーシリンダ（不図示）を駆動するための保持液量調整装置の昇降制御部、すなわち保持液量調整制御部として利用することができる。保持液量調整部の制御部４１２はＡＳＩＣ４０４からシリアルＩＦを介して、コマンド制御される。
【００３７】
＜多孔質体の状態の判断と多孔質体に関する処理＞
本実施形態にかかるインクジェット記録装置は、液吸収部材搬送装置により液吸収処理領域に繰り返し再送される多孔質体の通気性の状態を判断するシステム有する。この多孔質体の通気性状態の判断システムを用いて、液吸収部材の有する多孔質体の液吸収用の面の画像への当接情報と、多孔質体に関する固有パラメータから多孔質体の通気性の状態を判断する通気性チェック工程が行われる。この判断に利用される当接情報は、液吸収処理領域に繰り返し再送される多孔質体の画像への当接回数（同一多孔質体における使用開始時からの累積当接回数）と、多孔質体の液吸収用の面に付与される各当接時における当接圧に関する情報を含む。
多孔質体に付与される当接圧は、多孔質体に当接する各部材の当接圧を使用する。例えば、液吸収部材用の押圧部材１０５ａに設定された当接圧を用いることができる。これらは事前に測定しておいて把握しておいてもよいし、インクジェット記録装置が各部材の多孔質体への当接圧を調整する場合にはその調整された当接圧をＣＰＵ４０１が認識できるようにしておき、ＲＯＭ４０２に記憶して利用することが可能となる。また、当接回数は液吸収装置に設けたカウンターにより計測した値を利用することができる。当接回数カウンターは、多孔質体の同一箇所が液吸収処理領域を通過する回数をカウントできるものであればよく、特に限定されないが、例えば液吸収部材１０５ａを搬送するローラの回転を検知するエンコーダを利用することができる。また、ＡＳＩＣ４０４にカウント機能を設け、ＡＳＩＣ内に設けたレジスタのカウント値を更新していくようにしてもよいし、ＣＰＵ４０１とＲＯＭ４０２の機能により実現してもよい。
多孔質体を繰り返し使用した際の当接圧及び当接回数を含む当接情報は当接情報記憶部に格納され、多孔質体の通気性の状態の判断に利用される。当接情報記憶部は、例えば図４に示すＲＡＭ４０２内に設けることができる。
ここで、インクジェット記録装置は、立ち上げシーケンス、立ち下げシーケンス、通常印刷、メンテナンスなど、様々なモードを実行する。各モードでは同じ組み合わせのものが多孔質体と当接するわけではない。例えば、インクジェット記録装置の立ち上げシーケンスでは転写体１０１と液吸収部材１０５ａとは当接せずに、転写体１０１側、液吸収装置１０５側で各々必要な立ち上げを行った後に、転写体１０１と液吸収部材１０５ａを当接させる。液吸収装置１０５側の立ち上げにおいても、処理液付与部材１０３ａ、１０３ｂ、保持液量調整部材１１２、液吸収部材クリーニング部材１１０ａが順に当接する。これらのうち、いくつかは転写体１０１と液吸収部材１０５ａが当接した後に液吸収部材と当接することもあり得る。通常印刷では転写体１０１と液吸収部材１０５ａが当接しているが、インクジェット記録装置の立ち下げシーケンスでは転写体１０１と液吸収部材１０５ａとを離間させたのち、転写体１０１側、液吸収装置１０５側で各々必要な立ち下げを行う。
これらを鑑み、当接情報記憶部は、インクジェット記録装置におけるモードを認識し、そのモード、さらにはモードの中のフェーズにおいて液吸収部材１０５ａと当接する一または複数の部材について、当接圧及び当接回数を含む当接情報を当接情報記憶部に格納する。
当接情報と多孔質体に関する固有パラメータを用いた通気性の指標としてのガーレー値の計算と、それを用いた多孔質体の通気性の状態の判断は、通気性状態判断部により行うことができる。図４に示す装置動作制御部では、ＲＯＭ４０２に搭載した判断プログラムを用いてＣＰＵ４０１において通気性状態判断部の機能を実行することができる。通気性状態判断部は当接情報記憶部に記憶されたモード毎、あるいはフェーズ毎の当接情報を用いて、通気性の状態の判断を行う。
多孔質体処理制御部を設け、通気性状態判断部によって判断された多孔質体の通気性の状態に応じて、多孔質体に関する処理を選択して対応する装置（図１、４では不図示）に指示することができる。
この多孔質体に関する処理としては、以下の処理を挙げることができる。
（Ｉ）多孔質体の交換タイミングを報知する報知処理。
（ＩＩ）画像形成動作（インク像形成動作）を停止する処理。
（Ｉ）の処理は、操作制御部３０２を利用して行うことができる。
また、（ＩＩ）の処理は、図３に示す装置動作制御部によって実行することができる。
多孔質体に関する固有パラメータは、予め求めＲＯＭ４０２などに記憶しておく。例えば、あらかじめ多孔質体に繰り返し当接圧を付与して評価した通気性ｚに対し、当接回数をｘ、当接圧をｙとして、ｘ、ｙを変数としたときの多項式によるフィッティング係数を利用することが好ましい。
【００３８】
液吸収装置での液吸収処理を経た画像の画質を検出する画質検出装置を設けて、通気性状態判断部による多孔質体の通気性の状態の判断を補正して、判断精度を更に向上させることができる。この場合、通気性判断部は、多孔質状態判断部における多孔質体の状態の判断により、通気性の状態の判断を補正する補正機能を有する。
この判断の補正は、画像として画質チェック用のテストパターンを形成し、液体吸収工程を経たテストパターンの画質を画質検出装置によって検出し、得られた検出結果により多孔質体の状態を判断する多孔質体の状態を判断する工程により行うことができる。この画像検出装置による検出結果に基づき、前記通気性の状態の判断を補正することができる。
上述した判断の補正を行う多孔質体状態判断部は、図４に示すＣＰＵ４０１、ＲＯＭ４０２、ＲＡＭ４０３によって構成することができる。この多孔質状態判断部おいては、装置動作制御部に画質チェック用のテストパターンの形成をプリンタ制御部３０３に指示する。また転写体１０１上に形成され、液吸収装置での液吸収処理を経たテストパターンの画質の画質検出装置での検出を指示する。そして画質検出装置において得られた検出結果により多孔質体の状態が判断される。画質検出装置はテストパターンを光学的に読み取る読み取り部を備え、液吸収装置と転写部との間に設けられ、転写体１０１上のテストパターンを読み取ることができる。読み取ったパターンの画像データはＲＡＭ４０３に送られ、多孔質状態判断部に情報として利用される。転写部を経て記録媒体にパターンが印刷され、転写部の後の記録媒体の搬送経路でパターンを読み取るように画質検出装置が設けられていてもよい。また、ユーザーが印刷されたパターンを見て、多孔質状態判断部が利用する情報を、操作制御部３０２を介して入力するようにしてもよい。多孔質情報判断部では得られた情報から多孔質体のガーレー値を判断する。通気性状態判断部によって算出され、ＲＯＭ４０２に記憶されているガーレー値を補正する。例えば、多孔質情報判断部で得られた情報から得たガーレー値から通気性状態判断部によって算出されたガーレー値を引いた値が所定値以上であれば、多孔質情報判断部で得られたガーレー値に更新するようにすることができる。
一方、多孔質体を交換式として、交換用の多孔質体ごとに多孔質体の固有のパラメータ情報を添付しておき、当接情報記憶部に格納された多孔質体に固有のパラメータ情報を入力部から入力し、多孔質体の交換ごとに更新してもよい。このパラメータの入力は、手動あるいは自動で行うことができるように装置を構成してもよい。自動入力における読み取り方式、すなわち読み取り用の情報と読み取り部の形態は特に限定されず、公知のシステムを利用することができる。
以上に説明したインクジェット記録装置の通気性の状態判断のフローの一例を図１１に示す。
まず、フローを開始すると、ステップＳ１では、当接部材情報を取得する。この情報は液吸収部材１０５ａに当接している当接部材が何かを特定する情報である。ＣＰＵ４０１は、実行しているモード、あるいはモードのフェーズを判断し、当接部材を特定する。
次いでステップＳ２では、ステップＳ１で特定された１または複数の当接部材について、当接回数をカウントし、当接圧とともに、当接情報記憶部に記憶しておき、当接回数を所定時間カウントし、これらを当接情報記憶部から読み出すことで取得する。
そしてステップＳ３では、通気性判断部はガーレー値を算出する。
続くステップＳ４では、ステップＳ３の結果をもとにテストパターン印刷を行うか否かを決定する。通気性判断部がガーレー値を算出し、所定の値より大きくなっていた場合には、ステップＳ５でテストパターンを印刷し、ステップＳ６に進む。ステップＳ５のテストパターンに係る入力に基づき多孔質状態判断部は、多孔質体に関する処理が必要かどうかを決定する。
ステップＳ６で処理が必要となった場合には、ステップＳ７で多孔質体処理制御部による多孔質体に関する処理を実行する。
ステップＳ４でガーレー値が所定の値より大きくない場合には、Ｓ６に進み、多孔質状態判断部は、多孔質体に関する処理が必要かどうかを決定する。基本的には不要という判断がなされ、ステップＳ１に戻る。ステップＳ４でＮＯだった場合にステップＳ６を経ずにステップＳ１に戻ってもよい。
【００３９】
（直接描画型のインクジェット記録装置）
本実施形態における別の実施形態として、直接描画型インクジェット記録装置が挙げられる。直接描画型インクジェット記録装置において、被吐出媒体は画像を形成すべき記録媒体である。
図２は、本実施形態における直接描画型インクジェット記録装置２００の概略構成の一例を示す模式図である。直接描画型インクジェット記録装置は、前述した転写型インクジェット記録装置と比較し、転写体１０１、支持部材１０２、転写体クリーニング部材１０９を有さず、記録媒体２０８上で画像を形成する点以外は、転写型インクジェット記録装置と同様の手段を有する。
したがって、反応液収容部２０３ａ、反応液付与部材２０３ｂ、２０３ｃを有する反応液付与装置２０３、インク付与装置２０４は、転写型インクジェット記録装置と同様の構成を有しており、説明を省略する。更に、記録媒体２０８上のインク像に接触する液吸収部材２０５ａにより、インク像に含まれる液体成分を吸収する液吸収装置２０５についても同様に説明を省略する。、液吸収部材２０５ａから付着物を除去するための吸収部材クリーニング部材２１０ａ、クリーニングブレード２１０ｂを有する液吸収部材クリーニング装置２１０についても同様に説明を省略する。前処理液収容部２１１ａ、前処理液付与部材２１１ｂを有し、液吸収部材２０５ａへ前処理液を付与する前処理液付与装置２１１、保持液量調整部材２１２ｂ及び保持液収容部２１２ａを有し、液吸収部材１０５ａから不要な液体を除去し保持液量を調整する保持液量調整装置２１２も同様に説明を省略する。
なお、本実施形態の直接描画型インクジェット記録装置において、液吸収装置２０５は液吸収部材２０５ａ、および、液吸収部材２０５ａを記録媒体２０８上のインク像に押し当てる液吸収用の押圧部材２０５ｂを有する。また、液吸収部材２０５ａおよび押圧部材２０５ｂの形状については特に制限がなく、転写型インクジェット記録装置で使用可能な液吸収部材および押圧部材と同様の形状のものを用いることができる。また、液吸収装置２０５は、液吸収部材を張架する張架部材を有していてもよい。図２において、２０５ｃ、２０５ｄ、２０５ｅ、２０５ｆ、２０５ｇは張架部材としての張架ローラである。張架ローラの数は図４の５個に限定されるものではなく、装置設計に応じて必要数を配置すれば良い。また、インク付与装置２０４によって記録媒体２０８にインクを付与するインク付与部、および、液吸収部材２０５ａを記録媒体上のインク像に接触し、液体成分を除去する液体成分除去部には、記録媒体を下方から支持する不図示の記録媒体支持部材が設けられていてもよい。
【００４０】
＜記録媒体搬送装置＞
本実施形態の直接描画型インクジェット記録装置において、記録媒体搬送装置２０７は特に限定されず、公知の直接描画型インクジェット記録装置における搬送手段を用いることができる。例として、図２に示すように、記録媒体繰り出しローラ２０７ａ、記録媒体巻き取りローラ２０７ｂ、記録媒体搬送ローラ２０７ｃ、２０７ｄ、２０７ｅ、２０７ｆを有する記録媒体搬送装置が挙げられる。
＜制御システム＞
本実施形態における直接描画型インクジェット記録装置は、各装置を制御する制御システムを有する。図２に示す直接描画型インクジェット記録装置における、装置全体の制御システムを示すブロック図は、図１に示す転写型インクジェット記録装置と同様に、図３に示す通りである。
図５は図２の直接描画型インクジェット記録装置におけるプリンタ制御部のブロック図である。転写体駆動制御部４０７及び転写体駆動モータ４０８を有さない以外は図４における転写型インクジェット記録装置におけるプリンタ制御部のブロック図と同等である。
すなわち、５０１はプリンタ全体を制御するＣＰＵ、５０２は前記ＣＰＵの制御プログラムを格納するためのＲＯＭ、５０３はプログラムを実行するためのＲＡＭである。５０４はネットワークコントローラ、シリアルＩＦコントローラ、ヘッドデータ生成用コントローラ、モーターコントローラ等を内蔵したＡＳＩＣである。５０５は液吸収部材搬送モータ５０６を駆動するための液吸収部材搬送制御部であり、ＡＳＩＣ５０４からシリアルＩＦを介して、コマンド制御される。５０９はヘッド制御部であり、インクジェットデバイス３０５の最終吐出データ生成、駆動電圧生成等を行う。
５１０はクリーニング部の制御部であり、液吸収部材クリーニング装置の昇降用エアーシリンダ（不図示）を駆動するための液吸収部材クリーニング装置の昇降制御部、すなわち液吸収部材クリーニング制御部として利用することができる。制御部５１０はＡＳＩＣ５０４からシリアルＩＦを介して、コマンド制御される。
５１１は液付与部の制御部であり、回復液付与装置の昇降用エアーシリンダ（不図示）を駆動するための回復液付与装置の昇降制御部、すなわち回復液付与制御部として利用することができる。制御部５１１はＡＳＩＣ５０４からシリアルＩＦを介して、コマンド制御される。５１２は保持液量調整部の制御部であり、保持液量調整装置の昇降用エアーシリンダ（不図示）を駆動するための保持液量調整装置の昇降制御部、すなわち保持液量調整制御部として利用することができる。制御部５１２はＡＳＩＣ５０４からシリアルＩＦを介して、コマンド制御される。
【００４１】
＜当接圧による液吸収部材の特性変化＞
多孔質体で構成される液吸収部材に当接圧を与えると、当接圧に応じた圧縮変形を示す。当接圧を解除すると当接前の状態に向かって変形が回復するが、繰り返し当接圧を加え続けることで永久ひずみが残り、多孔質体の通気性が低下する。
図６は、多孔質体に当接圧を繰り返し与えた場合の、当接圧と当接回数、通気性の指標となる多孔質体のガーレー値の関係図である。当接回数の対数に対しガーレー値の変化は線形の関係を示し、また当接圧が高いほど、ガーレー値の上昇率が大きいことが分かった（Ｐ１＜Ｐ２＜Ｐ３）。
当接回数をｘ、当接圧をｙ、多孔質体のガーレー値をｚとすると、以下の関係式により当接圧、当接回数、ガーレー値を表すことができる。
ｚ＝ａ・ｌｏｇ（ｘ）＋ｂ・ｙ＋ｃｌｏｇ（ｘ）・ｙ＋ｄ：式（１）
ここでａ、ｂ、ｃ、ｄは係数であり、多孔質体ごとの固有パラメータである。固有パラメータは、あらかじめ多孔質体に当接圧の異なる繰り返し当接を付与した際のガーレー値変化に対し、式（１）でフィッティングすることで決定することができる。
以上の固有パラメータと、液吸収部材１０５ａが一回転する間に付与される当接圧がわかれば、当接によるガーレー値の上昇量を算出することができる。ある時点ｔでの液吸収部材１０５ａの多孔質体のガーレー値をｚ（ｔ）とする。液吸収部材へと付与される、液吸収部材用の押圧部材１０５ｂによる当接圧をＰＡ、処理液付与装置１０による当接圧をＰＢとすると、液吸収部材１０５ａの一回転後のガーレー値ｚ（ｔ＋１）は、
ｚ（ｔ＋１）＝ｚ（ｔ）
＋ａ・ｌｏｇ（ｘＡ（ｔ＋１））＋ｂ・ＰＡ＋ｃｌｏｇ（ｘＡ（ｔ＋１））・ＰＡ＋ｄ
―（ａ・ｌｏｇ（ｘＡ（ｔ））＋ｂ・ＰＡ＋ｃｌｏｇ（ｘＡ（ｔ））・ＰＡ＋ｄ）
＋ａ・ｌｏｇ（ｘＢ（ｔ＋１））＋ｂ・ＰＢ＋ｃｌｏｇ（ｘＢ（ｔ＋１））・ＰＢ＋ｄ
―（ａ・ｌｏｇ（ｘＢ（ｔ））＋ｂ・ＰＡ＋ｃｌｏｇ（ｘＢ（ｔ））・ＰＢ＋ｄ）
＝ｚ（ｔ）
＋（ａ＋ｃ・ＰＡ）・ｌｏｇ（ｘＡ（ｔ＋１）／ｘＡ（ｔ））
＋（ａ＋ｃ・ＰＢ）・ｌｏｇ（ｘＢ（ｔ＋１）／ｘＢ（ｔ））
＝ｚ（ｔ）
＋（ａ＋ｃ・ＰＡ）・ｌｏｇ（（ｘＡ（ｔ）＋１）／ｘＡ（ｔ））
＋（ａ＋ｃ・ＰＢ）・ｌｏｇ（（ｘＢ（ｔ）＋１）／ｘＢ（ｔ））    式（２）
となる。
ここでｘＡ（ｔ）、ｘＢ（ｔ）は式（１）より、
ｘＡ（ｔ）＝１０＾｛（ｚ（ｔ）―ｂ・ＰＡ―ｄ）／（ａ＋ｃ・ＰＡ）｝    式（３Ａ）
ｘＢ（ｔ）＝１０＾｛（ｚ（ｔ）―ｂ・ＰＢ―ｄ）／（ａ＋ｃ・ＰＢ）｝    式（３Ｂ）
である。
上述した通気性状態判断部は、以上の関係を使い、当接情報記憶部に記憶された液吸収部材１０５ａが受ける当接圧と当接回数と、式（２）を用いた計算によって多孔質体のガーレー値を予測することができる。この予測は多孔質体の通気性指標としてインクジェット記録装置において液吸収部材の処理に利用される。なおここでは当接部分が二か所の構成で説明したが、当接部材によるクリーニング機構や保持液量調整機構などをさらに付与した場合においても、上述の関係式を同様に用いることで、多孔質体のガーレー値を予測することが可能である。
【００４２】
＜画像流れ＞
図７は、画像流れにおけるイク付与量と多孔質体の通気性の関係を示している。液吸収部材でインク画像から液体除去を行う際に、多孔質体の通気性が低いほど画像流れが生じやすい。また、画像のインク付与量が多いほど画像流れが生じやすくなる。液吸収工程は液吸収部材での当接圧によるインク画像を押し流す作用と、液体を吸収してインクの粘度を上げて画像の変形を起こしにくくするバランスの上に成り立っている。よって多孔質体の通気性と画像のインク付与量とに関係して、画像流れが生じることになる。
図８は画像流れが生じている場合の模式図である。液吸収部材１０５ａでの液体の吸収速度が遅い、あるいはインクの付与量が多いと、転写体１０１搬送方向の上流側に向けて転写体１０１上のインク画像（黒塗り）が押し流され、画像が乱れてしまう。画像流れはベタ画像の端部で確認しやすいが、端部以外の画像内部でも同様に移動が起きており、画像流れによる移動量が人間の視認限界である約２０μｍ以上発生すると、画質劣化としての問題がより顕著になってくる。
画像流れの生じる原因は、多孔質体の液吸収特性と、インク画像の凝集力によって決まる外力への抵抗力とのバランスであるが、画像流れが生じるか否かの閾値は様々な条件で変化する。たとえば、転写体１０１の搬送速度が速い場合、液吸収部材１０５ａと転写体とのニップ部の圧力プロファイルの時間的な変化が大きくなり、液体を十分吸収する前に画像が押し流されてしまう。また、転写体に対する液吸収部の押圧部材１０５ｂの押圧力が大きいと同様に圧力プロファイルの時間的な変化が大きくなり、画像流れを生じやすい。その他、インクや反応液を構成する材料塑性や、液吸収時のインク温度などによってもインクの凝集力が変わるため、画像流れの生じる程度が変化する。
図８で示したインク画像をテストパターンとして利用することができる。図中の線Ａは液吸収部材１０５ａの接触前のインク画像の左端の位置である。画像流れの程度に応じてこの位置から液吸収部材１０５ａに接触後のインク画像の左端までの長さ（矢印で図示）が異なる。よって液吸収部材１０５ａでの接触前後でのテストパターンの液吸収部材１０５ａの移動方向の上流側端部の位置の変化を認識することができれば、テストパターンを用いて画像流れを評価できる。テストパターンにおいて液吸収部材１０５ａの移動方向の上流側端部の位置を認識し、認識した位置と基準との距離からガーレー値を求めることができる。このとき基準となるのは液吸収部材１０５ａに接触する前、あるいはした後のインク画像の右端（液吸収部材１０５ａの移動方向の下流側端部の位置）でもよいし、図中のＡの位置でもよい。インク画像を画質検出装置で読み取る場合には、得られた画像データを解析することで、基準のＡの位置の認識が容易である。
以上の状態を鑑み、装置を運転する条件の元で、あらかじめ画像流れの生じる閾値を把握しておくことで、本発明において予測する多孔質体の通気性と画像流れの生じる閾値とを比較することで、画像流れが生じる前に適切に対処することができる。
【実施例】
【００４３】
以下、実施例及び比較例を用いて本実施形態を更に詳細に説明する。本発明は、その要旨を超えない限り、下記の実施例によって何ら限定されるものではない。尚、以下の実施例の記載において、「部」とあるのは特に断りのない限り質量基準である。
【００４４】
（実施例１）
本実施例では図１に示す転写型インクジェット記録装置を用いた。
本実施例における転写体１０１は接着剤により支持部材１０２に固定されている。
本実施例では、厚さ０．５ｍｍのＰＥＴシートにシリコーンゴム（信越化学工業株式会社製、商品名：ＫＥ１２）を０．３ｍｍの厚さにコーティングしたシートを転写体の弾性層として用いた。また、支持部材１０２と該弾性体との断熱層として、弾性層の下層に気泡を含む厚さ０．５ｍｍの発泡性のシリコーンゴムを用いた。さらにグリシドキシプロピルトリエトキシシランとメチルトリエトキシシランとをモル比１：１で混合し、加熱還流により得られる縮合物と光カチオン重合開始剤（ＡＤＥＫＡ製、商品名：ＳＰ１５０）の混合物を作製した。弾性層表面の水の接触角を１０度以下となるように大気圧プラズマ処理を行い、前記混合物を弾性層上に付与し、ＵＶ照射（高圧水銀ランプ、積算露光量５０００ｍＪ／ｃｍ２）、熱硬化（１５０℃２時間）により成膜し、弾性体上に厚さ０．５μｍの表面層を形成した転写体１０１を作製した。
本構成においては、なお説明の簡略のため図示を省略しているが、転写体１０１と支持部材１０２の間に転写体１０１を保持するために両面テープを用いた。また転写体１０１の弾性層と断熱層の間にも、弾性層を保持するために両面テープを用いた。
反応液付与手段１０３により付与される反応液は、以下組成のものを用い、付与量は１ｇ／ｍ２とした。
・レブリン酸：４０．０部
・グリセリン：５．０部
・メガファックＦ４４４（商品名）：１．０部（界面活性剤、ＤＩＣ製）
・イオン交換水：５４．０部
インクは以下のように調製した。
＜樹脂粒子の調製＞
撹拌機、還流冷却装置、及び窒素ガス導入管を備えた四つ口フラスコに、ブチルメタクリレート１８．０部、重合開始剤（２，２’−アゾビス（２−メチルブチロニトリル））２．０部、及びｎ−ヘキサデカン２．０部を入れ、反応系に窒素ガスを導入し、０．５時間撹拌した。このフラスコに、乳化剤（商品名：ＮＩＫＫＯＬ  ＢＣ１５、日光ケミカルズ製）の６．０％水溶液７８．０部を滴下して、０．５時間撹拌した。次いで、超音波照射機で超音波を３時間照射することで、混合物を乳化させた。その後、窒素雰囲気下、８０℃で４時間重合反応を行った。反応系を２５℃まで冷却した後、成分をろ過し、適量の純水を添加して、樹脂粒子１（固形分）の含有量が２０．０％である樹脂粒子１の水分散液を調製した。
＜樹脂水溶液の調製＞
酸価が１５０ｍｇＫＯＨ／ｇで、重量平均分子量が８，０００のスチレン−アクリル酸エチル−アクリル酸共重合体（樹脂１）を準備した。２０．０部の樹脂１を、その酸価と等モルの水酸化カリウムで中和し、適量の純水を加え、樹脂（固形分）の含有量が２０．０％である樹脂１の水溶液を調製した。
＜インクの調製＞
（顔料分散液の調製）
顔料（カーボンブラック）１０．０部、樹脂１の水溶液１５．０部、及び純水７５．０部を混合した。この混合物と、０．３ｍｍ径のジルコニアビーズ２００部を、バッチ式縦型サンドミル（アイメックス製）に入れて、水冷しながら５時間分散させた。その後、遠心分離して粗大粒子を除去し、ポアサイズ３．０μｍのセルロースアセテートフィルター（アドバンテック製）にて加圧ろ過して、顔料の含有量が１０．０％、樹脂分散剤（樹脂１）の含有量が３．０％の顔料分散液Ｋを調製した。
（インクの調製）
下記に示す各成分を混合し、十分撹拌した後、ポアサイズ３．０μｍのセルロースアセテートフィルター（アドバンテック製）にて加圧ろ過を行い、各インクを調製した。アセチレノールＥ１００は川研ファインケミカル製の界面活性剤である。
（インクの組成）
・顔料分散液Ｋ：２０．０質量％
・樹脂粒子１の水分散液：５０.０質量％
・樹脂１の水溶液：５．０質量％
・グリセリン：５．０質量％
・ジエチレングリコール：７．０質量％
・アセチレノールＥ１００：０．５質量％
・純粋：１２．５質量％
インク付与装置１０４として、電気−熱変換素子を用いオンデマンド方式にてインク吐出を行うタイプのインクジェットヘッドを有するインクジェットデバイスを使用し、インク付与量は２０ｇ／ｍ２とした。
＜液吸収部材＞
液吸収部材は、多孔質体を３層積層したものを用いた。インク画像に接触する側の第一層には、平均孔径０．３μｍの多孔質ＰＴＦＥを用いた。第一の支持層として、ポリオレフィン製の多孔質膜を用いた。また第二の支持層としてポリフェニルサルファイド製の多孔質膜を用いた。これらを熱ラミネートにより積層し、液吸収部材として用いた。この液吸収部材をエタノール９５部、水５部からなる処理液に浸漬させ、浸透させた後、水１００部からなる液に置換し、その後液体除去に使用した。また、液吸収手段における押圧部材１０５ｂはローラ直径φ２００mmのものを用いた。
液吸収部材１０５ａは液吸収部材を張架しつつ搬送する搬送ローラ１０５ｃ、１０５ｄ、１０５ｅによって、転写体１０１の移動速度と同等の速度になるよう調節されている。また、転写体１０１の移動速度と同等の速度となるように、記録媒体１０８は記録媒体繰り出しローラ１０７ａおよび記録媒体巻き取りローラ１０７ｂによって搬送される。本実施例において、搬送速度は０．６ｍ／ｓとし、記録媒体１０８としてオーロラコート紙（商品名、日本製紙株式会社製・坪量１０４ｇ／ｍ２）を用いた。
図９は、本実施例で用いる吸収部材１０５ａの多孔質体に対し、繰り返し圧力を与えたときのガーレー値の測定結果（各シンボル■、▲、●の位置で示された測定値）、および式（１）によるフィッティング曲線（破線）である。当接圧は、０．５ＭＰａ、０．８ＭＰａ、１．５ＭＰａの３水準であり、当接回数１００００回までのガーレー値の変化の様子を示している。式（１）でのフィッティングにより決定した多孔質体の固有パラメータは、ａ＝０．０６０、ｂ＝０．５１２、ｃ＝０．５７５、ｄ＝５．３５であった。
転写体１０１と液吸収部材１０５ａとの間のニップ当接圧は０．７５ＭＰａである。液吸収部材クリーニング部材１１０ａと液吸収部材１０５ａとの間のニップ当接圧は０．１５ＭＰａである。処理液付与装置１１１において、オフセットローラ１１１ｂと液吸収部材１０５ａとの間には、０．１５ＭＰａの当接圧が印加されている。保持液量調整部材１１２ｂと液吸収部材１０５ａとの間のニップ当接圧は０．４５ＭＰａである。
上記の条件の下、多孔質体の固有パラメータａ，ｂ，ｃ，ｄと、当接圧、当接回数を考慮し算出したガーレー値変化について図１０に示す。横軸は液吸収部材１０５ａが回転した回数である。液吸収部材１０５ａの初期のガーレー値は５．２ｓｅｃであるが、液吸収部材１０５ｂと液吸収部材クリーニング部材１１０ａ、オフセットローラ１１１ｂおよび保持液量調整部材１１２ｂとの当接により、１０万回転後にはガーレー値が約８．１ｓｅｃまで上昇することが分かった。
また一方で別の事前検討より、本実施例で用いた液吸収部材やインクなどの組み合わせの構成においては、液吸収部材１０５ａのガーレー値が８ｓｅｃを上回ったあたりから、視認できる程度に画像流れが表れ始めることが分かった。
以上のことより、本実施例において、画像流れを効果的に防止するために液吸収部材１０５ａのガーレー値が８ｓｅｃ以下である必要がある。本実施形態においてはガーレ予測値７．５ｓｅｃを閾値とし、この閾値を超えた時点でユーザーに液吸収部材１０５ａの交換を促すサインを出すことで、画像流れの発生を未然に防ぐことが可能となる。ユーザーへのサインはインクジェット記録装置に搭載した報知用のランプ（不図示）を点灯させることにより行う。
また、報知の方法は報知ランプ以外にも、報知用の液晶モニターを備え、そこに表示する方法でも良い。ガーレー値予測から７秒を超えるまでの予測枚数を表示し、画像流れが発生する前にユーザーに液吸収部材の交換を促す。
その他、画質不良の画像を印刷してしまうのを防止するために印刷動作を停止し、操作制御部などを利用して交換時期であることを報知してもよい。
【００４５】
（実施例２）
本実施例の基本構成、動作は実施例１と同じである。
液吸収部材１０５ａは交換式であり、ガーレー値を予測するための固有パラメータが液吸収部材に添付されている。添付の方法は液吸収部材を収納する保管容器に記載してもよいし、液吸収部材に直接記載してもよい。
液吸収部材を新たに交換した際には、装置本体に固有パラメータを入力し、それまでの当接情報をリセットする。
【００４６】
（実施例３）
本実施例の基本構成、動作は実施例１と同じである。
実施例１で示したような当接情報から通気性を予測する方法以外にも、チェックパターンを印字する方法で、画像流れによる画質劣化を未然に防止することができる。本実施例の構成においては、インクの付与量が２０ｇ／ｍ２の条件で、多孔質体のガーレー値が８ｓｅｃを超えると画像流れが生じた。またインクの付与量が２５ｇ／ｍ２の条件で、多孔質体のガーレー値が７．５ｓｅｃを超えると画像流れが生じることがわかった。この関係より、装置の立ち上げ時や印刷の合間の所定のタイミングにて、インク付与量が２５ｇ／ｍ２の画質チェック用のテストパターンを印字し、液吸収部材による液体吸収工程を経た後の画像流れを評価する。このテストパターンは、画像流れの発生をチェックできる画像パターンを有する。
画像流れが生じれば液吸収部材用の報知ランプを点灯し、ユーザーに液吸収部材の交換を促すサインを出すことで、画像流れの発生を未然に防ぐことが可能となる。
画像流れの評価は画像センサにて行い、入力された画像データと実際に印字されたインク画像とを比較することで画像流れの有無を判断する。転写体に画像を形成し、その後液体除去工程と記録媒体への転写工程を経る転写型インクジェット記録装置においては、液体除去工程後の転写体上で行ってもよいし、記録媒体への転写後の画像上で行ってもよい。また転写体を用いない直接描画型のインクジェット記録装置においては、画像を形成した記録媒体所で行えばよい。さらにまた、画像センサを用いる代わりに、オペレータの視認による評価でも可能である。
【００４７】
（実施例４）
本実施例の基本構成、動作は実施例３と同じである。
実施例１で示した当接情報から通気性を予測する方法と、実施例３で示した画質チェック用のテストパターンを印字する方法を併用すれば、予期せぬ事態によって生じた通気性の予測値を補正し、すなわち、多孔質体の通気性の状態の判断を補正して、画像流れによる画質劣化を未然に防止することができる。
液吸収部材への当接圧が設定よりも高くなってしまった場合や、多孔質体への異物付着などの様々な条件によって、予測よりもガーレー値が高くなってしまう場合がある。そこで、当接情報から予測されるガーレー値が７ｓｅｃを超えた時点で、インク付与量が２０ｇ／ｍ２と２５ｇ／ｍ２の領域を含むチェックパターンを印字し、画像センサにより画像流れの状態について評価する。画像センサによる評価は、実施例３で示したように転写体上でも記録媒体上でもよい。インク付与量が２５ｇ／ｍ２で画像流れが生じれば、実際のガーレー値が予測値よりも０．５ｓｅｃ高いことになる。予測値よりも０．５ｓｅｃ高いと判断される場合には、現在のガーレー値を７．５ｓｅｃに修正する。そして引き続き印刷を行う。またインク付与量が２０ｇ／ｍ２で画像流れが生じれば、実際のガーレー値は８．０ｓｅｃであり、予測値よりも１ｓｅｃ高いことになる。予測値よりも１ｓｅｃ高いと判断される場合には、画像流れが生じている可能性が高いため、印刷動作を停止しユーザーに液吸収部材の交換を促す。
これらにより、画像流れの発生を未然に防ぎ、また画像流れの生じた不良画像の印刷を未然に防ぐことが可能となる。
【符号の説明】
【００４８】
１００  転写型インクジェット記録装置
１０１  転写体
１０２  支持部材
１０３  反応液付与装置
１０３ａ  反応液収容部
１０３ｂ、ｃ  反応液付与部材
１０４  インク付与装置
１０５  液吸収装置
１０５ａ  液吸収部材
１０５ｂ  液吸収用の押圧部材
１０５ｃ  張架ローラ
１０６  転写用の押圧部材
１０７  記録媒体搬送装置
１０８  記録媒体
【図１】
2019014101.tif 000003
【図２】
2019014101.tif 000004
【図３】
2019014101.tif 000005
【図４】
2019014101.tif 000006
【図５】
2019014101.tif 000007
【図６】
2019014101.tif 000008
【図７】
2019014101.tif 000009
【図８】
2019014101.tif 000010
【図９】
2019014101.tif 000011
【図１０】
2019014101.tif 000012
【図１１】
2019014101.tif 000013